(57)【特許請求の範囲】
【請求項１】
絞りと、焦点距離変更時に該絞りとの相対間隔不変に移動する第１のレンズ群と、焦点距離変更時に該第１のレンズ群との相対間隔を変化させながら移動する第２のレンズ群とを含むズームレンズを備えたカメラにおいて、
前記第２のレンズ群および前記絞り位置を静止させたまま前記第１のレンズ群の全体もしくは一部のレンズを移動させて焦点調節を行なう第１の焦点調節機構と、
前記第１のレンズ群を前記絞りとの相対間隔不変に移動するとともに前記第２のレンズ群を該第１のレンズ群との相対間隔を変化させながら移動させて、焦点距離変更と共に焦点調節を行なう第２の焦点調節機構と、
被写体までの距離を測定する測距部と、
前記測距部による測定の結果、前記被写体が、所定の距離以遠および該所定の距離よりも至近にある場合に、それぞれ、前記第１の焦点調節機構および前記第２の焦点調節機構を用いた焦点調節を行なう焦点調節部とを備えたことを特徴とするカメラ。
【請求項２】
絞りと、焦点距離変更時に該絞りとの相対間隔不変に移動する第１のレンズ群と、焦点距離変更時に該第１のレンズ群との相対間隔を変化させながら移動する第２のレンズ群とを含むズームレンズを備えたカメラにおいて、
前記第２のレンズ群および前記絞り位置を静止させたまま前記第１のレンズ群の全体もしくは一部のレンズを移動させて焦点調節を行なう第１の焦点調節機構と、
前記第１のレンズ群を前記絞りとの相対間隔不変に移動するとともに前記第２のレンズ群を該第１のレンズ群との相対間隔を変化させながら移動させて、焦点距離変更と共に焦点調節を行なう第２の焦点調節機構と、
前記ズームレンズの焦点距離が望遠側にあるほど、前記第１の焦点調節機構と前記第２の焦点調節機構のうちの前記第１の焦点調節機構による焦点調節への寄与率を高めた焦点調節を行なうとともに、前記ズームレンズの焦点距離が広角側にあるほど、前記第１の焦点調節機構と前記第２の焦点調節機構のうちの前記第２の焦点調節機構による焦点調節への寄与率を高めた焦点調節を行なう焦点調節部とを備えたことを特徴とするカメラ。
【請求項３】
絞りと、焦点距離変更時に該絞りとの相対間隔不変に移動する第１のレンズ群と、焦点距離変更時に該第１のレンズ群との相対間隔を変化させながら移動する第２のレンズ群とを含むズームレンズを備えたカメラにおいて、
前記第２のレンズ群および前記絞り位置を静止させたまま前記第１のレンズ群の全体もしくは一部のレンズを移動させて焦点調節を行なう第１の焦点調節機構と、
前記第１のレンズ群を前記絞りとの相対間隔不変に移動するとともに前記第２のレンズ群を該第１のレンズ群との相対間隔を変化させながら移動させて、焦点距離変更と共に焦点調節を行なう第２の焦点調節機構と、
被写体までの距離を測定する測距部と、
前記測距部による測定の結果、前記被写体が遠方側にあるほど、前記第１の焦点調節機構と前記第２の焦点調節機構のうちの前記第１の焦点調節機構による焦点調節への寄与率を高めた焦点調節を行なうとともに、被写体が至近側にあるほど、前記第１の焦点調節機構と前記第２の焦点調節機構のうちの前記第２の焦点調節機構による焦点調節への寄与率を高めた焦点調節を行なう焦点調節部とを備えたことを特徴とするカメラ。
【請求項４】
絞りと、焦点距離変更時に該絞りとの相対間隔不変に移動する第１のレンズ群と、焦点距離変更時に該第１のレンズ群との相対間隔を変化させながら移動する第２のレンズ群とを含むズームレンズを備えたカメラにおいて、
前記第２のレンズ群および前記絞り位置を静止させたまま前記第１のレンズ群の全体もしくは一部のレンズを移動させて焦点調節を行なう第１の焦点調節機構と、
前記第１のレンズ群を前記絞りとの相対間隔不変に移動するとともに前記第２のレンズ群を該第１のレンズ群との相対間隔を変化させながら移動させて、焦点距離変更と共に焦点調節を行なう第２の焦点調節機構と、
被写体までの距離を測定する測距部と、
前記ズームレンズの焦点距離が望遠側にあり、かつ前記測距部による測定の結果、前記被写体が遠方側にあるほど、前記第１の焦点調節機構と前記第２の焦点調節機構のうちの前記第１の焦点調節機構による焦点調節への寄与率を高めた焦点調節を行なうとともに、前記ズームレンズの焦点距離が広角側にあり、かつ該測距部による測定の結果、該被写体が至近側にあるほど、前記第１の焦点調節機構と前記第２の焦点調節機構のうちの前記第２の焦点調節機構による焦点調節への寄与率を高めた焦点調節を行なう焦点調節部とを備えたことを特徴とするカメラ。
【発明の詳細な説明】
【０００１】
【発明の属する技術分野】
本発明は、複数のレンズ群からなるズームレンズを備えたカメラに関する。
【０００２】
【従来の技術】
従来より、レンズシャッタ式ズームレンズを備えたカメラが広く用いられている。このようなカメラでは、あらかじめステップ的に定められた複数のズーム段（ステップ的な複数のズーム倍率）において、ズームレンズに内蔵されたレンズ間の相対間隔を変更することにより焦点調節が行なわれている。例えば、いわゆる２群ズームレンズでは、ステップ的に定められた複数のズーム段（ズーム倍率）において、前群レンズと後群レンズの相対間隔を変化させることにより焦点調節が行われている。この２群ズームレンズを備えたカメラで行なわれている焦点調節について、図１および図２を用いて説明する。
【０００３】
図１は、ステップ的に定められた複数のズーム段において、前群レンズのみを光軸方向の前方に繰り出すことで焦点調節を行なっているカメラの前群および後群レンズの動きを示す図である。
【０００４】
図１には、前群レンズおよび後群レンズを内蔵するレンズ鏡胴を光軸方向に繰り出すために回転させる回転部材の回転角度を表わす横軸、フィルム面に対する距離を表わす縦軸が示されている。光軸方向へのレンズ鏡胴の繰り出しに伴い、このレンズ鏡胴に内蔵される、前群レンズおよび後群レンズも光軸方向に移動する。
【０００５】
また、図１には、光軸方向へのレンズ鏡胴の繰り出しに伴う、フィルム面に対する、前群レンズの距離の変化が実線Ａで示され、フィルム面に対する、後群レンズの距離の変化が実線Ｂで示されている。尚、このカメラでは、光軸方向へのレンズ鏡胴の繰り出しに伴い、前群レンズおよび後群レンズそれぞれが、実線Ａおよび実線Ｂ上を移動することにより、ピントが無限遠の被写体に合うように設定されている。
【０００６】
さらに、図１には、光軸方向へのレンズ鏡胴の繰り出しに伴う、フィルム面に対する、絞り羽根を兼ねたシャッタ羽根の距離の変化も実線Ｃで示されている。このシャッタ羽根は、前群レンズと後群レンズの間に位置しており、このため、フィルム面に対する、シャッタ羽根の距離の変化を表わす実線Ｃは、実線Ａと実線Ｂとの間に示されている。図１の左側が広角（ＷＩＤＥ）側、図１の右側が望遠（ＴＥＬＥ）側であり、フィルム面に対する、前群レンズの距離の変化を表わす実線Ａは、図の左中段から図の右上に伸びる直線で示され、フィルム面に対する、後群レンズの距離の変化を表わす実線Ｂは、図の左下から図の右上にかけてのカーブで示されている。実線Ｃは、実線Ａと平行な直線で示されている。前群レンズおよび後群レンズの間隔は、広角側では広く、望遠側では狭くなっている。
【０００７】
加えて、図１には、図の左中段から図の右上に伸びる１本の２点鎖線Ｄも示されている。このカメラでは、光軸方向へのレンズ鏡胴の繰り出しに伴い、前群レンズおよび後群レンズそれぞれが、２点鎖線Ｄおよび実線Ｂ上を移動すると、ピントが最至近の被写体に合う設定になっている。この２点鎖線Ｄは、直線である実線Ａに平行な直線であり、実線Ａよりも上方に示されている。
【０００８】
ここで、図１には、レンズ鏡胴を光軸方向に繰り出す際に回転させる回転部材の連続的な回転角のうち、ステップ的に定められた回転角の一部の回転角（Ｚ１〜Ｚ５）それぞれにおける、前群レンズの、フィルム面に対する距離を示す○印が実線Ａ上に示されており、この○印から２点鎖線Ｄに向けて、矢印Ｅが描かれている。これらの矢印Ｅは、ステップ的に定められた回転角の一部の回転角（Ｚ１〜Ｚ５）それぞれにおいて、すなわちそれぞれのズーム段において、無限遠の被写体に合っていたピントが中距離の被写体を経て最至近の被写体に合わせられるまでの、フィルム面に対する、前群レンズの距離の変化を示したものである。つまり、撮影者が所望するズーム倍率に応じて、ステップ的に定められた回転角（Ｚ１〜Ｚ５など）のうちのいずれかの回転角だけ、レンズ鏡胴の回転部材を回転させることにより、レンズ鏡胴が光軸方向に繰り出されると、この時点では、ピントは無限遠の被写体に合っている状態にある。その後、撮影者が所望する被写体に対する測距が行なわれ、その被写体までの距離に応じて、前群レンズの、光軸方向前方（図１では上方）への移動量が決定される。この前群レンズの光軸方向前方への移動により、ステップ的に定められたズーム倍率それぞれにおける、無限遠の被写体から最至近の被写体に至るまでの焦点調節が可能となる。尚、このような焦点調節が行なわれているカメラでは、前群レンズと、絞り羽根を兼ねたシャッタ羽根との相対間隔が焦点調節において変化している。
【０００９】
図２は、ステップ的に定められた複数のズーム段において、レンズ鏡胴を光軸方向の前方に繰り出すと共に、レンズ鏡胴に内蔵する、前群レンズと後群レンズとの相対的間隔を変化させることで、焦点調節が行なわれているカメラの前群および後群レンズの動きを示す図である。
【００１０】
図２にも、レンズ鏡胴を繰り出すために回転させる回転部材の回転角度を表わす横軸、フィルム面に対する距離を表わす縦軸が示されており、前群レンズと後群レンズとを内蔵するレンズ鏡胴の光軸方向への繰り出しに伴う、フィルム面に対する、前群レンズの距離の変化が実線Ｆで示され、フィルム面に対する、後群レンズの距離の変化が折れ線状の実線Ｇで示されている。また、図２には、図の左下から図の右上に伸びる、点線Ｉも示されており、このカメラでは、このレンズ鏡胴の回転部材の回転に伴い、前群レンズおよび後群レンズが、それぞれ実線Ｆおよび点線Ｉ上を移動すると、ピントが無限遠の被写体に合うように設定されている。尚、図２に示すように、この点線Ｉと、後群レンズの距離の変化を表わす折れ線状の実線Ｇとが、ステップ的に定められた回転角の一部の回転角（Ｚ１１〜Ｚ１５）それぞれにおいて交差していることから、このカメラでは、ステップ段的に定められた回転角の一部の回転角（Ｚ１１〜Ｚ１５）それぞれ、すなわちステップ的に定められたズーム段それぞれにおいては、ピントが無限遠の被写体に合うように設定されている。尚、図１と同様、図２の左側が広角（ＷＩＤＥ）側、図２の右側が望遠（ＴＥＬＥ）側であり、フィルム面に対する、前群レンズの距離の変化を表わす実線Ｆは、図の左中段から図の右上に伸びる直線で示され、後群レンズの距離の変化を表わす実線Ｇは、図の左下から図の右上にかけての折れ線で示されている。前群レンズと後群レンズとの間隔は広角側では広く、望遠側では狭くなっている。前群レンズと後群レンズとの間に位置する、絞り羽根を兼ねるシャッタ羽根の、フィルム面に対する距離の変化は実線Ｈで表わされており、この実線Ｈは、実線Ｆと平行な直線で示されている。
【００１１】
さらに、図２には、ステップ的に定められた回転角の一部の回転角（Ｚ１１からＺ１５）それぞれにおける、後群レンズの、フィルム面に対する距離を表わす○印が折れ線状の実線Ｇ上に示されており、これらの○印それぞれから、折れ線状の実線Ｄに沿って矢印Ｊが描かれている。これらの矢印Ｊは、ステップ的に定められた回転角の一部の回転角（Ｚ１１〜Ｚ１５）それぞれにおける、無限遠から最至近までのピント合わせに伴う、後方レンズ群の、フィルム面に対する距離の変化を示している。つまり、レンズ鏡胴の回転部材が、ステップ的に定められた回転角の一部の回転角（Ｚ１１〜Ｚ１５）のいずれかから、すなわち所定のズーム段から、さらに回転することで、無限遠の被写体から最至近の被写体に至るまでの焦点調節が行なわれている。尚、このような焦点調節が行なわれているカメラでは、前群レンズと絞り羽根を兼ねたシャッタ羽根との相対間隔が焦点調節において不変である。
【００１２】
ここで、図１を用いて説明した焦点調節では、前群レンズとシャッタ羽根との相対間隔が変化するため、広角側、あるいは至近位置にある被写体に対し周辺光量の不足を引き起こすなど、安定した光学性能の確保は困難である半面、前群レンズのみを動かすため、素早い合焦動作の実現が可能である。
【００１３】
一方、図２を用いて説明した焦点調節では、前群レンズとシャッタ羽根との相対間隔が一定であることから、広角側で至近位置にある被写体に対しても安定した光学性能の確保が容易である半面、レンズ鏡胴全体を動かすため、素早い合焦動作の実現は困難である。
【００１４】
【発明が解決しようとする課題】
しかし、カメラで行なわれる焦点調節は、安定した光学性能の確保と、素早い合焦動作の実現との、上記例では相反する条件を共に満足させたものである必要がある。
【００１５】
尚、このことは、３群以上のレンズを内蔵するズームレンズを備えたカメラにおいても同様である。
【００１６】
本発明は、上記事情に鑑み、安定した光学性能の確保と素早い合焦動作の実現とを両立した焦点調節を行なう、ズームレンズを備えたカメラを提供することを目的とする。
【００１７】
【課題を解決するための手段】
上記目的を達成するための本発明のカメラは、
絞りと、焦点距離変更時にこの絞りとの相対間隔不変に移動する第１のレンズ群と、焦点距離変更時にこの第１のレンズ群との相対間隔を変化させながら移動する第２のレンズ群とを含むズームレンズを備えたカメラにおいて、
前記第２のレンズ群および前記絞り位置を静止させたまま上記第１のレンズ群の全体もしくは一部のレンズを移動させて焦点調節を行なう第１の焦点調節機構と、
上記第１のレンズ群を上記絞りとの相対間隔不変に移動するとともに上記第２のレンズ群をこの第１のレンズ群との相対間隔を変化させながら移動させて焦点調節を行なう第２の焦点調節機構とを備えたことを特徴とする。
【００１８】
本発明のカメラは、素早い合焦動作の実現のために、少なくとも１つのレンズ群および絞り位置を静止させ、絞りとの相対間隔が焦点距離変更時に不変な少なくとも１つのレンズ群の全体もしくは一部のレンズの移動で焦点調節を行なう第１の焦点調節機構と、広角側、あるいは、至近位置にある被写体に対する安定した光学性能を確保するために、絞りとの相対間隔が焦点距離変更時に不変な少なくとも１つのレンズ群と、絞りとの相対間隔を不変にして焦点調節を行なう第２の焦点調節機構とを備えている。したがって、本発明のカメラによれば、第１の焦点調節機構による焦点調節では安定した光学性能の確保が難しい、広角側における被写体、あるいは、至近側にある被写体に対しては、第２の焦点調節機構による焦点調節を行なうことで安定した光学性能を確保し、広角側以外における被写体、あるいは、至近側以外にある被写体に対しては、第１の焦点調節機構による焦点調節を行なうことで、第２の焦点調節機構による焦点調節では難しい、素早い合焦動作の実現を図ることができる。このようにすれば、安定した光学性能の確保と素早い合焦動作の実現とをトータル的に両立することが可能である。
【００１９】
ここで、上記本発明のカメラに備えられたズームレンズが、絞りを挟んで前群と後群との２群のレンズで構成されたズームレンズであって、
上記第１の焦点調節機構は、上記後群および絞り位置を静止させたまま上記前群全体を移動させて焦点調節を行なうものであり、
上記第２の焦点調節機構は、上記前群を絞りとの相対間隔不変に移動するとともに上記後群を上記前群との相対間隔を変化させながら移動させて焦点調節を行なうものであってもよい。
【００２０】
このように、絞りを挟んで前群と後群との２群のレンズで構成されたズームレンズを備えたカメラにおいて、第１の焦点調節機構および第２の焦点調節機構による２通りの焦点調節を使い分けると、３群以上のズームレンズを備えたカメラにおいてこれら２通りの焦点調節を使い分けるよりも効果が顕著である。
【００２１】
また、上記本発明のカメラが、上記ズームレンズの焦点距離が所定の焦点距離よりも望遠側および広角側に調節されている場合に、それぞれ、上記第１の焦点調節機構および上記第２の焦点調節機構を用いた焦点調節を行なう焦点調節部を備えたものであることも好ましい形態である。
【００２２】
本発明のカメラは、所定の焦点距離よりも望遠側では、安定した光学性能の確保よりも、素早い合焦動作を実現できる第１の焦点調節機構による焦点調節を行ない、所定の焦点距離よりも広角側では、素早い合焦動作の実現よりも、安定した光学性能を確保できる第２の焦点調節機構による焦点調節を行なうため、本発明のカメラによれば、安定した光学性能の確保と素早い合焦動作の実現とを、トータル的に両立した焦点調節を行なうことが可能である。
【００２３】
あるいは、上記本発明のカメラは、被写体が、所定の距離以遠およびこの所定の距離よりも至近にある場合に、それぞれ、上記第１の焦点調節機構および上記第２の焦点調節機構を用いた焦点調節を行なう焦点調節部を備えたものであることも好ましい形態である。
【００２４】
本発明のカメラは、安定した光学性能の確保が難しい、所定の距離より至近側にある被写体に対しては、第２の焦点調節機構による焦点調節を行ない、安定した光学性能の確保が容易な、所定の距離以遠にある被写体に対しては、素早い合焦動作の実現に重点を置いた第１の焦点調節機構による焦点調節を行なう。このため、本発明のカメラによれば、安定した光学性能の確保と素早い合焦動作の実現とをトータル的に両立した焦点調節を行なうことが可能である。
【００２５】
さらに、上記本発明のカメラが、上記ズームレンズの焦点距離が望遠側にあるほど、上記第１の焦点調節機構と上記第２の焦点調節機構のうちの上記第１の焦点調節機構による焦点調節への寄与率を高めた焦点調節を行なうとともに、上記ズームレンズの焦点距離が広角側にあるほど、上記第１の焦点調節機構と上記第２の焦点距離調節機構のうちの上記第２の焦点調節機構による焦点調節への寄与率を高めた焦点調節を行なう焦点調節部を備えたものであってもよい。
【００２６】
本発明のカメラは、広角側であるほど、第１の焦点調節機構による焦点調節よりも、安定した光学性能の確保に重点をおく第２の焦点調節機構による焦点調節を主に行ない、望遠側であるほど、第２の焦点調節機構による焦点調節よりも、素早い合焦動作の実現に重点をおく第１の焦点調節機構による焦点調節を主に行なう。例えば、ズーム倍率が望遠側である場合は、被写体が最至近付近にあるときのみ第２の焦点調節機構による焦点調節を行ない、被写体が最至近以遠にあるときは全て第１の焦点調節機構による焦点調節を行なう。また、ズーム倍率が広角側である場合は、被写体が無限遠付近のときのみ第１の焦点調節機構による焦点調節を行ない、被写体が無限遠付近よりも至近側にあるときは全て第２の焦点調節機構による焦点調節を行なう。このようにすることで、安定した光学性能の確保と素早い合焦動作の実現とを両立した焦点調節を行なうことが可能である。
【００２７】
また、上記本発明のカメラが、被写体が遠方側にあるほど、上記第１の焦点調節機構と上記第２の焦点調節機構のうちの上記第１の焦点調節機構による焦点調節への寄与率を高めた焦点調節を行なうとともに、被写体が至近側にあるほど、上記第１の焦点調節機構と上記第２の焦点距離調節機構のうちの上記第２の焦点調節機構による焦点調節への寄与率を高めた焦点調節を行なう焦点調節部を備えたものであってもよい。
【００２８】
本発明のカメラは、被写体が無限遠にあるほど、第２の焦点調節機構による焦点調節よりも、第１の焦点調節機構による焦点調節を行なう割合を増加させることで素早い合焦動作の実現に重点をおき、被写体が至近であるほど、第１の焦点調節機構による焦点調節よりも、第２の焦点調節機構による焦点調節を行なう割合を増加させることで光学性能の確保に重点をおいた焦点調節を行なう。例えば、被写体が最至近と無限遠の中間にある場合は、第１の焦点調節機構による焦点調節と、第２の焦点調節機構による焦点調節とで焦点調節を半々位に分担して行ない、被写体が至近側である場合は、被写体が最至近と無限遠の中間にある場合に比べ、第１の焦点調節機構による焦点調節の割合を低下させ、第２の焦点調節機構による焦点調節の割合を増加させた焦点調節を行ない、被写体が無限遠側である場合は、被写体が最至近と無限遠の中間にある場合に比べ、第１の焦点調節機構による焦点調節の割合を増加させ、第２の焦点調節機構による焦点調節の割合を低下させた焦点調節を行なう。このようにすることでも、安定した光学性能の確保と素早い合焦動作の実現とを両立した焦点調節を行なうことが可能である。
【００２９】
さらには、上記本発明のカメラが、上記ズームレンズの焦点距離が望遠側にあり、かつ被写体が遠方側にあるほど、上記第１の焦点調節機構と上記第２の焦点調節機構のうちの上記第１の焦点調節機構による焦点調節への寄与率を高めた焦点調節を行なうとともに、上記ズームレンズの焦点距離が広角側にあり、かつ被写体が至近側にあるほど、上記第１の焦点調節機構と上記第２の焦点距離調節機構のうちの上記第２の焦点調節機構による焦点調節への寄与率を高めた焦点調節を行なう焦点調節部を備えたものであってもよい。
【００３０】
本発明のカメラは、望遠側で、かつ被写体が無限遠側であるほど、第２の焦点調節機構による焦点調節よりも、第１の焦点調節機構による焦点調節を行なう割合を増加させることで素早い合焦動作の実現に重点をおき、広角側で、かつ被写体が至近側であるほど、第１の焦点調節機構による焦点調節よりも、第２の焦点調節機構による焦点調節を行なう割合を増加させることで安定した光学性能の確保に重点をおいた焦点調節を行なう。例えば、被写体が所定の位置にある場合に、望遠側では、第２の焦点調節機構による焦点調節よりも、第１の焦点調節機構による焦点調節の割合を高くし、広角側では、第１の焦点調節機構による焦点調節よりも、第２の焦点調節機構による焦点調節の割合を高くし、かつ、所定のズーム倍率において、遠方側では第２の焦点調節機構による焦点調節よりも、第１の焦点調節機構による焦点調節の割合を高くし、至近側では第１の焦点調節機構による焦点調節よりも、第２の焦点調節機構による焦点調節の割合を高くするなど、無限遠と最至近の間、および望遠側と広角側の間で、第１の焦点調節機構および第２の焦点調節機構による焦点調節の、焦点調節における割合を上記のように変化させることで、安定した光学性能の確保と素早い合焦動作の実現とをバランス良く両立させることが可能である。
【００３１】
【発明の実施の形態】
以下、本発明の実施形態について説明する。
【００３２】
図３、図４は、本発明のカメラの第１実施形態の外観斜視図である。
【００３３】
図３には、本実施形態のカメラ１のズームレンズを内蔵するレンズ鏡胴２０の沈胴状態が示されており、図４には、カメラ１のレンズ鏡胴２０の繰り出し状態が示されている。
【００３４】
図３、図４に示すカメラ１のレンズ鏡胴２０には、前群および後群の２群で構成されるズームレンズが内蔵されており、これら前群および後群のレンズを光軸方向に移動させることでズーム調節と焦点調節が行われる。
【００３５】
図３および図４に示すカメラ１の正面上部には、フラッシュ発光窓１２、ファインダ対物窓１３、ＡＦ投光窓１４ａ、ＡＦ受光窓１４ｂ、およびＡＥ受光窓１５が配置されている。また、このカメラ１の上面には、シャッタボタン１６が配置されている。
【００３６】
このカメラ１の、図示しない背面には、ズーム操作スイッチが配置されており、このズーム操作スイッチの一方を押すと、押し続けている間、レンズ鏡胴２０が繰り出し、ズーム操作スイッチの他方を押すと、押し続けている問、レンズ鏡胴２０が繰り込む。
【００３７】
図５、図６は、図３および図４に示すカメラの、レンズ鏡胴およびレンズ鏡胴駆動機構の断面図である。
【００３８】
図５には、広角（ＷＩＤＥ）端状態にあるレンズ鏡胴２０の断面が示されており、図６には、望遠（ＴＥＬＥ）端状態にあるレンズ鏡胴２０の断面が示されている。尚、このカメラ１のレンズ鏡胴２０は、後述する電源スイッチがオンされることで図３に示す沈胴状態から、図５に示す広角端状態に移行し、電源スイッチがオフされることで、広角端状態以上に繰り出された状態から沈胴状態に戻る。
【００３９】
また、図５および図６には、レンズ鏡胴２０に回転駆動力を与える平ギア１２０、平ギア１２０に回転駆動力を伝える減速ギア系１１０、減速ギア系１１０に駆動力を伝えるピニオン１００を備えた鏡胴駆動モータ１０、鏡胴駆動モータ１０の回転量を検出するフォトセンサ５００、後述するキープレート２５に付設されている接片ブラシ７００、接片ブラシ７００が接触するエンコーダ基板８１０（図９参照）が設けられている、固定筒２１の袋部２１ｅ等も示されている。尚、この袋部２１ｅは、後述する固定筒２１に備えられている。
【００４０】
レンズ鏡胴２０は、カメラ本体内部に備えられた保持部材９０に固定されている固定筒２１、固定筒２１の内側に嵌め込まれている第１鏡胴２２、第１鏡胴２２の内側に嵌め込まれている直進ガイド筒２３、第１鏡胴２２と直進ガイド筒２３の間に嵌め込まれている第２鏡胴２４、および直進ガイド筒２３の後端面に図示しないネジで固定されているキープレート２５などで構成されている。
【００４１】
また、このレンズ鏡胴２０の内部には、後群レンズ３００と、後群レンズ３００を保持する後群レンズ保持枠３１０とからなる後群レンズユニット３０、絞り羽根を兼ねるシャッタユニット５０、シャッタユニット５０を駆動するセクタアクチュエータ６００などが備えられている。
【００４２】
さらに、このレンズ鏡胴２０の内部には、前群レンズ案内機構も備えられており、この前群レンズ案内機構は、前群レンズ４００と、前群レンズ４００を保持する前群レンズ保持筒４１０からなる前群レンズユニット４０、前群レンズユニット４０を光軸方向に移動させる前群レンズ駆動モータ４２０、前群レンズ駆動モータ４２０に備えられた駆動ギア４３０、外周面が駆動ギア４３０と噛合し、内周面が前群レンズ保持筒４１０と螺合する回転筒４４０、前群レンズ保持筒４１０の回り止めとなる固定筒４５０などで構成されている。次に、これらの動作について説明する。
【００４３】
図７は、レンズ鏡胴の分解斜視図である。
【００４４】
図７に示す固定筒２１は、その内周面にヘリコイドネジ２１ａが形成され、このヘリコイドネジ２１ａは、第１鏡胴２２の外周面に形成されたヘリコイドネジ２２ａと螺合する。また、この固定筒２１には、その内壁と外壁を貫通した開口である縦開口２１ｂ、内周面を光軸方向に延びるキー溝２１ｃ（３ヶ所）が設けられている。さらに、この固定筒２１には、キープレート２５に付設された接片ブラシ７００の固定筒２１における通り道である袋部２１ｅ、固定筒２１の上記縦開口２１ｂを前後に挟む位置に、平ギア１２０を付設するための軸受２１ｄも設けられており、平ギア１２０は、図７に示す軸２１ｆによって、この軸受２１ｄに取り付けられている。
【００４５】
図７に示すキープレート２５はリング状の平板であり、キープレート２５の外周部には、回り止めのための突起２５ｃ（３ヶ所）が備えられている。
【００４６】
ここで、キープレート２５は、詳しくは後述するが、第１鏡胴２２が被せられた直進ガイド筒２３にネジ止めされており、キープレート２５に設けられた３ヵ所の突起２５ｃと、固定筒２１のキー溝２１ｃとが嵌合され、キープレート２５がネジ止めされた直進ガイド筒２３は固定筒２１内部に嵌め込まれている。
【００４７】
図７に示す第１鏡胴２２は、外周面に形成されたヘリコイドネジ２２ａ、外周面後端に形成された被駆動ギア２２ｂ、内周面に形成されたカム溝２２ｃ、同じく内周面に形成されたヘリコイドネジ２２ｄ、および、後部開口面に形成されたフランジ２２ｅを有する。尚、ヘリコイドネジ２２ａと被駆動ギア２２ｂとは、共存した状態となっている。前述したように、第１鏡胴２２の外周面に形成されたヘリコイドネジ２２ａは、固定筒２１の内周面に形成されたヘリコイドネジ２１ａと螺合している。
【００４８】
図７に示す直進ガイド筒２３は、後部開口面にキープレート２５と当接する第１フランジ２３ｂ、第１フランジ２３ｂよりも前方の外周面に備えられた第２フランジ２３ａ、さらに内壁と外壁とを貫通し光軸方向に延びる３本の直線溝２３ｃ、外周面に設けられ光軸方向に延びる３本の突条部２３ｄを有する。
【００４９】
図７に示す後群レンズ３００を内蔵した後群レンズ保持枠３１０は、その円周上に着脱自在のカムピン３１０ａ（３本）を有しており、このカムピン３１０ａが直進ガイド筒２３の直線溝２３ｃを貫通するように直進ガイド筒２３内に配置されている。直進ガイド筒２３は、前述したように第１鏡胴２２が被せられた状態でキープレート２５とネジ止めされているため、直進ガイド筒２３に被せられている第１鏡胴２２の後部開口面のフランジ２２ｅは、キープレート２５と、直進ガイド筒２３の第２フランジ２３ａとによって、回動自在に挟まれている。
【００５０】
また、図７に示す後群レンズ保持枠３１０のカムピン３１０ａは、直進ガイド筒２３の直線溝２３ｃを貰通して、第１鏡胴２２の内壁に形成されたカム溝２２ｃに係合している。
【００５１】
図７に示す第２鏡胴２４は、外周面にヘリコイドネジ２４ａ、光軸方向に延びる３本の直線溝２４ｂ、後群レンズユニット３０が最も光軸方向の前方に繰り出されてきた場合（図６参照）に後群レンズ保持枠３１０のカムピン３１０ａを入り込ませるための溝２４ｃを有する。この第２鏡胴２４は、直進ガイド筒２３の外壁と、この直進ガイド筒２３に被せられている第１鏡胴２２の内壁との間に入り込む。これにより、第２鏡胴２４の外周面のヘリコイドネジ２４ａが第１鏡胴２２の内周面のヘリコイドネジ２２ｅと螺合し、第２鏡胴２４の３本の直線溝２４ｂが直進ガイド筒２３の外周面の突条部２３ｄに摺動自在に嵌合した状態となっている。
【００５２】
ここで、図５に示す鏡胴駆動モータ１０が回転し、前述したギアトレインを経由して平ギア１２０に駆動力が伝えられると、その駆動力はさらに第１鏡胴２２の被駆動ギア２２ｂに伝えられる。ここで、キープレート２５は突起２５ｃが固定筒２１のキー溝２１ｃに嵌り込んでおり、直進ガイド筒２３とキープレート２５とはネジ止め固定されていることから、これら直進ガイド筒２３およびキープレート２５は、固定筒２１に対し回り止めがなされていることとなる。したがって、第１鏡胴２２の被駆動ギア２２ｂに駆動力が伝達され、第１鏡胴２２が回転すると、第１鏡胴２２の外周面のヘリコイドネジ２２ａと固定筒２１の内周面のヘリコイドネジ２１ａとが螺合していることから、第１鏡胴２２は回転するとともに光軸方向に移動する。また、キープレート２５および直進ガイド筒２３は、第１鏡胴２２の後部開口面のフランジ２２ｅを直進ガイド筒２３の第２フランジ２３ａとキープレート２５とで回動自在に挟んでいることから、第１鏡胴２２が回転しながら光軸方向に移動するのに伴い、光軸方向に直動する。このとき、キープレート２５に付設されている接片ブラシ７００は、固定筒２１の袋部２１ｅに設けられているエンコード基板８１０上を接触しながら移動する。
【００５３】
さらに、後群レンズ保持枠３１０のカムピン３１０ａは、直進ガイド筒２３の直線溝２３ｄを貫通していることで回り止めされ、さらに第１鏡胴２２のカム溝２２ｃにも入り込んでいることから、後群レンズ保持枠３１０も光軸方向に直動する。
【００５４】
加えて、第２鏡胴２４は、光軸方向に延びる３本の直線溝２４ｂが直進ガイド筒２３の外周面の突条部２３ｄに嵌合されていることで回り止めされている。したがって、この第２鏡胴２４は、第２鏡胴２４の外周面のヘリコイドネジ２４ａが第１鏡胴２２の内周面のヘリコイドネジ２２ｄに螺合していることから、第１鏡胴２２の回転および光軸方向の移動に伴い光軸方向に直動する。
【００５５】
図８は、前群レンズの案内機構の外観斜視図である。
【００５６】
図８に示す前群レンズ保持筒４１０は、前群レンズ４００を内蔵し、その後部に突起４１０ａ（3ヶ所）を有する。また、前群レンズ保持筒４１０は、外周面にヘリコイドネジ４１０ｂを有する。
【００５７】
図８に示す回転筒４４０は、外周面に駆動ギア４３０と噛合するギア溝４４０ａ、内周面に前群レンズ保持筒４１０のヘリコイドネジ４１０ｂと螺合するヘリコイドネジ４４０ｂを有する。この回転筒４４０は前群レンズ保持筒４１０に螺合されて被せられており、回転筒４４０のヘリコイドネジ４４０ｂは前群レンズ保持筒４１０の外周面に備えられたヘリコイドネジ４１０ｂと螺合している。尚、前群レンズ保持筒４１０上の所定の位置に被せられている回転筒４４０の光軸方向への移動は、図示しない手段により防止されている。
【００５８】
図８に示す固定筒４５０の内周面には、光軸方向に延びるキー溝４５０ａが形成されている。この固定筒４５０は第２鏡胴２４に固定されており、前群レンズ保持筒４１０の後部に備えられた突起４１０ａが固定筒４５０のキー溝４５０ａと嵌合している。これにより、前群レンズ保持筒４１０は回り止めされている。
【００５９】
ここで、図５に示す前群レンズ駆動モータ４２０を駆動すると、駆動ギア４３０を介して回転筒４４０は回転するが、前群レンズ保持筒４１０が固定筒４５０に回転止めされていることにより、前群レンズ保持筒４１０は光軸方向に直動する。
【００６０】
図９は、ステップ的に定められた複数のズーム段において、無限遠から最至近に至るまでの焦点調節を行なう、本実施形態のカメラの前群および後群レンズの動きを示す図である。尚、図９では、横軸が第１鏡胴２２の回転角度を表わし、縦軸がフィルム面に対する距離を表わしており、図の左側が広角側、図の右側が望遠側を示している。
【００６１】
図９には、第１鏡胴２２の回転に伴う、フィルム面に対する、前群レンズ４００の距離の変化を表わす実線Ｋ、フィルム面に対する、後群レンズ３００の距離の変化を表わす実線Ｌ、および後述する点線Ｍが示されている。この実線Ｋは図の左中段から図の右上に延びる直線であり、実線Ｌは左側の広角側でのみ折れ線で、その折れ線部分以外の部分は、図の左下から図の右上にかけてのカーブで示されている。尚、第１鏡胴２２の回転に伴い、この実線Ｌのうちの折れ線部分を除いた部分であるカーブ部分を移動する後群レンズ３００と、実線Ｋ上を移動する前群レンズ４００とにより、本実施形態のカメラ１では、ピントが無限遠に合う設定になっている。ただし、第１鏡胴２２の回転に伴い、後群レンズ３００が点線Ｍ上を移動し、前群レンズ４００が実線Ｋ上を移動しても、本実施形態のカメラ１では、ピントが無限遠に合う設定になっている。
【００６２】
また、図９には、実線Ｋの上方に位置し、実線Ｋに平行な２点鎖線Ｎも示されている。尚、第１鏡胴２２の回転に伴い、この実線Ｌのうちの折れ線部分を除いた部分であるカーブ部分を移動する後群レンズ３００と、２点鎖線Ｎ上を移動する前群レンズ４００とにより、本実施形態のカメラ１では、ピントが最至近に合う設定になっている。
【００６３】
さらに、図９には、エンコーダ基板８１０上のパターンのうち、広角側のパターンの中心（Ｐ１）を通り上方に延びる１点鎖線Ｑ、実線Ｌの折れ線部分に描かれた矢印Ｒ、ステップ的に定められた回転角の一部の回転角（Ｚ２２〜Ｚ２５）それぞれにおける前群レンズ４００の位置を表わす○印、この○印から２点鎖線Ｎに延びる矢印Ｓ、および接片ブラシ７００も示されている。尚、図９に示す後群レンズ３００の距離の変化を表わす実線Ｌは、図７に示す第１鏡胴２２の内壁に設けられたカム溝２２ｃの形状を示している。
【００６４】
ここで、前述したように、レンズ鏡胴２０を構成するキープレート２５には接片ブラシ７００が付設されており、図示しないズーム操作スイッチの操作による第１鏡胴２２の回転により、接片ブラシ７００は、キープレート２５の光軸方向への移動に伴い、図９に示すエンコード基板８１０上を移動する。ただし、接片ブラシ７００は、エンコード基板８１０上の複数のパターンの中心（図９ではＰ１からＰ５）のいずれかに停止する。従って、ズーム操作スイッチの操作の終了により、エンコード基板８１０上の任意の位置に停止させられた接片ブラシ７００を最寄のパターンの中心に移動させるために、第１鏡胴２２の回転は、ズーム操作スイッチの操作の終了後も続けられる。エンコード基板８１０上のパターンの中心は、レンズ鏡胴２０が焦点調節に備えて待機する鏡胴待機位置であり、この鏡胴待機位置を検出する方法については後述する。このように、レンズ鏡胴２０が焦点調節に備えて鏡胴待機位置に停止すると、シャッタボタン操作を待ち、シャッタボタン操作に伴う測距機能により得られた被写体までの距離値を基とする焦点調節が行われる。
【００６５】
以下、本実施形態のカメラ１における焦点調節について説明する。
【００６６】
ズーム操作スイッチの操作の結果、鏡胴待機位置がエンコーダ基板８１０の広角側のパターンの中心（Ｐ１）であった場合、シャッタボタン１６の半押による測距によって得られた測距値を基に、前群および後群レンズを共に繰り出すことにより焦点調節が行なわれる。このカメラ１では、測距値に応じて割り出された、レンズ鏡胴２０の繰り出し量に応じた回転角になるまで第１鏡胴２２の回転が行なわれる。尚、鏡胴待機位置Ｐ１に対応する回転角Ｚ２０からステップ的に定められた最寄の回転角である回転角Ｚ２１まで第１鏡胴２２の回転が行なわれた時点では、回転角Ｚ２１に対応して設定されているズーム倍率で、無限遠に被写体にピントが合った状態となっている。
【００６７】
この後、計測した被写体光量情報に基づいて適正な露光量になるようにシャッタが作動して撮影が行われ、撮影が終了すると、レンズ鏡胴２０は鏡胴待機位置Ｐ１に戻され、次の撮影に備える。
【００６８】
次に、ズーム操作スイッチの操作の結果、鏡胴待機位置がエンコーダ基板の広角側のパターンの中心（Ｐ１）以外の中心（図９ではＰ２からＰ５）のいずれかに位置している場合、シャッタボタン１６の半押による測距によって得られた距離値を基に割り出された繰り出し量だけ、前群レンズ４００のみを光軸方向前方に繰り出すことにより焦点調節が行なわれる。この後、計測した被写体光量情報に基づいて適正な露光量になるようにシャッタが作動して撮影が行われ、撮影が終了すると、前群レンズ３００は、第２鏡胴２４に対して最も光軸方向後方の位置（前群レンズ待機位置）に戻され、次の撮影に備える。
【００６９】
つまり、本実施形態のカメラ１で行なわれている焦点調節は、今回のズーム倍率が、所定のズーム倍率よりも小さいとき（広角側）は、第１鏡胴２１を回転させることで前群レンズ４００と後群レンズ３００とを同時に繰り出すと共に、前群レンズ４００と後群レンズ３００との相対間隔を変更することで焦点調節（本発明にいう第２の焦点調節機構による焦点調節）を行い、所定のズーム倍率よりも大きいとき（望遠側）は、前群レンズ４００のみを繰り出し前群レンズ４００と後群レンズ３００との間隔を変更することで焦点調節（本発明にいう第１の焦点調節機構による焦点調節）を行っている。このため、広角側であった場合は、前群レンズ４００と絞りを兼ねたシャッタ羽根との相対間隔が不変であることから、安定した光学性能を確保に重点が置かれ、望遠側であった場合は、前群レンズ４００のみが繰り出されることから、素早い合焦動作の実現に重点がおかれることとなる。したがって、以上のような焦点調節が行なわれる、ズームレンズを備えたカメラ１では、安定した光学性能の確保と、素早い合焦動作の実現とをトータル的に両立することが可能である。
【００７０】
図１０は、本実施形態のカメラの回路ブロック図である。
【００７１】
本実施形態のカメラ１には、マイクロコンピュータを含む制御回路５１が備えられており、この制御回路５１には各種センサやスイッチなどからの信号が入力され、この制御回路５１は、それらの信号に基づいて、カメラ各部の制御を行う。以下、制御回路５１に信号を入力する各種センサやスイッチ類、および制御回路５１の各種制御対象について説明する。
【００７２】
ズーム操作スイッチ５６は、ズーム倍率を広角（ＷＩＤＥ）側、望遠（ＴＥＬＥ）側に変更するスイッチである。
【００７３】
エンコーダ５４は、キープレート２５に付設された接片ブラシ７００と、固定筒２１の袋部２１ｅに設けられたエンコーダ基板８１０とからなり、レンズ鏡胴２０の繰り出しにより接片ブラシ７００が鏡胴待機位置のいずれかに接近したことを検出するセンサである。
【００７４】
フォトセンサ５００は、透過光を検出することにより、鏡胴駆動モータ１０の回転量を検出するためのパルスを生成する。前述したように、レンズ鏡胴２０の繰り出しにより、接片ブラシ７００が鏡胴待機位置のいずれかに接近したことがエンコーダにより検出されると、すなわち接片ブラシ７００がパターンの端部に接触すると、フォトセンサ５００からのパルスをカウントすることにより鏡胴駆動モータ１０の回転量を監視する。鏡胴駆動モータ１０の回転量が、既に設定されている値と等しくなると、制御回路５１は鏡胴駆動モータ１０を停止させる。
【００７５】
ＡＥセンサ５３は、図３に示すＡＥ受光窓１５の内側に配置された測光用のセンサであり、その測光値は、露出制御に用いられる。
【００７６】
ＡＦセンサ５５は、図３の正面図に示すＡＦ窓の内側に配置され、被写体までの距離を表わす測距値を出力する。
【００７７】
シャッタボタン１６は、図３に示すカメラ１の上面に配置され、半押と全押の２段階からなるタクトスイッチである。半押で測光と測距が行われ、全押でシャッタの開閉が行われる。
【００７８】
また、鏡胴駆動モータ制御５９は、図５に示す鏡胴駆動モータ１０を制御することを表わし、この鏡胴駆動モータ１０を制御することで、第１鏡胴２２の回転を制御し、レンズ鏡胴２０の繰り出し量をコントロールする。
【００７９】
前群レンズ駆動モータ制御５７は、図５に示す前群レンズ駆動モータ４２０を制御することを表わし、前群レンズ駆動モータ４２０の回転を制御することにより、前群レンズ４００の繰り出し量がコントロールされる。この前群レンズ駆動モータ４２０はパルスモータであり、前群レンズ４００の繰り出し量の決定は、前群レンズ待機位置からのパルス数をコントロールすることで行われている。
【００８０】
フラッシュ制御５２は、フラッシュ機能を制御することを表わしている。
【００８１】
シャッタ制御５８は、図５に示すシャッタユニット５０を駆動するセクタアクチュエータ６００に制御信号を送り、絞り羽根を兼ねるシャッタ羽根の開閉を制御するものである。尚、フィルム給送用モータの制御等、この発明に直接関係のない機能の説明については省略する。
【００８２】
図１１は、本実施形態のカメラの電源がオンされると起動される‘電源オン’プログラムのフローチャートである。
【００８３】
このプログラムは、図１０に示す制御回路５１内で実行される。カメラ１の電源がオンされると、ステップＳ１１において、図５に示す鏡胴駆動モータ１０が正方向に駆動し、前述したギアトレインを介して伝達された回転駆動力は第１鏡胴の非駆動ギア２２ｂを正回転させる。これにより、レンズ鏡胴２０は、図３に示す沈胴状態から図５に示す広角（ＷＩＤＥ）端状態に移行する。その後、このルーチンを終了する。
【００８４】
図１２は、ズーム操作スイッチに対する操作が行なわれると起動される‘ズーム操作’プログラムのフローチャートである。
【００８５】
ズーム操作スイッチ５６（図１０参照）が操作されることによってこの‘ズーム操作’プログラムが起動され、ステップＳ２１では、このズーム操作スイッチ５６に対する操作が終了したか否かが判定される。
【００８６】
ステップＳ２１において、このズーム操作スイッチ５６に対する操作が終了していないと判定されたときは、ステップＳ２１を繰り返す。
【００８７】
ステップＳ２１において、このズーム操作スイッチ５６に対する操作が終了したと判定されたときは、ステップＳ２２に進む。
【００８８】
ステップＳ２２では、今回のズーム倍率が所定のズーム倍率よりも小さいか否かが判定される。
【００８９】
ステップＳ２２において、今回のズーム倍率が所定のズーム倍率よりも小さいと判定されたときは、ステップＳ２３に進む。
【００９０】
ステップＳ２３では、今回のズーム倍率が所定のズーム倍率よりも小さいことを表わす‘該当フラグ’をセットする。その後、このルーチンを終了する。
【００９１】
ステップＳ２２において、今回のズーム倍率が所定のズーム倍率よりも大きいと判定されたときもこのルーチンを終了する。
【００９２】
図１３は、カメラのシャッタボタンが押されると起動される‘シャッタボタンオン’プログラムのフローチャートである。
【００９３】
カメラ１のシャッタボタン１６が押されると、先ず半押状態において、撮影しようとする被写体の明るさを測定する測光動作がステップＳ３１で行なわれ、絞りとシャッタスピードが決定される。その後、ステップＳ３２に進む。
【００９４】
ステップＳ３２では、被写体までの測距が行なわれる。その後、ステップＳ３３に進む。
【００９５】
ステップＳ３３では、前述したように、ズーム操作に伴ない、‘該当フラッグ’がセットされているか否かが判定される。
【００９６】
ステップＳ３３において、‘該当フラッグ’がセットされていると判定されたときは、ステップＳ３４に進む。
【００９７】
ステップＳ３４では、今回のズーム倍率が所定のズーム倍率よりも小さい(広角側)ことから、レンズ鏡胴２０の繰り出しで焦点調節が行なわれるため、既に得られている測距値とズーム倍率とを基にレンズ鏡胴２０の繰り出し量が決定される。その後、ステップＳ３６に進む。
【００９８】
ステップＳ３３において、‘該当フラッグ’がセットされていないと判定されたときは、ステップＳ３５に進む。
【００９９】
ステップＳ３５では、今回のズーム倍率が所定のズーム倍率よりも大きい(望遠側)ことから、前群レンズ４００のみの繰り出しで焦点調節が行われるため、既に得られている測距値から前群レンズ４００の繰り出し量が決定される。その後、ステップＳ３６に進む。
【０１００】
ステップＳ３６では、レンズ鏡胴２０の繰り出し、あるいは前群レンズ４００の繰り出しにより、焦点調節が行なわれる。その後、ステップＳ３７に進む。
【０１０１】
ステップＳ３７では、シャッタボタン１６が全押状態か否かが判定される。
【０１０２】
ステップＳ３７において、シャッタボタン１６が全押状態であると判定されたときは、ステップＳ３９に進む。
【０１０３】
ステップＳ３７において、シャッタボタン１６が全押状態でないと判定されたときは、ステップＳ３８に進む。
【０１０４】
ステップＳ３８では、シャッタボタン１６が半押状態か否かが判定される。
【０１０５】
ステップＳ３８において、シャッタボタン１６が半押状態でもないと判定されたときは、このルーチンを終了する。
【０１０６】
ステップＳ３８において、シャッタボタンが半押状態であると判定されたときは、ステップＳ３７に戻る。
【０１０７】
ステップＳ３９では、測光動作により得られた光量に基いてフラッシュ発光を行なうか否かを判定する。
【０１０８】
ステップＳ３９において、フラッシュ発光を行なう必要がないと判定されたときは、ステップＳ４１に進む。
【０１０９】
ステップＳ４１では、シャッタを開閉することで撮影が行なわれる。その後、ステップＳ４２に進む。
【０１１０】
ステップＳ３９において、フラッシュ発光を行なう必要があると判定れたときは、ステップＳ４０に進む。
【０１１１】
ステップＳ４０では、シャッタを開いてフラッシュを発光させ、さらにシャッタを閉じるという一連の動作を行なってからステップＳ４２に進む。
【０１１２】
ステップＳ４２では、次の撮影の準備のために、前群レンズ駆動モータ４２０を駆動して前群レンズ４００を前群レンズ待機位置まで戻し、鏡胴駆動モータ１０を駆動してレンズ鏡胴２０を焦点調節前の鏡胴待機位置にもどす。さらに、図示しない電動モータを駆動してフィルムを１コマ分巻き上げてこのルーチンを終了する。
【０１１３】
図１４は、カメラの電源をオフする操作が行なわれた場合に起動される電源オフプログラムのフローチャ¬トである。
【０１１４】
カメラ１の電源をオフする操作が行なわれると、ステップＳ５１において、レンズ鏡胴駆動モータ１０が逆方向に駆動することで、レンズ鏡胴２０を、図３に示す沈胴状態にまで移動させて、このルーチンを終了する。その後、カメラ１の電源がオフされる。
【０１１５】
次に、本発明のカメラの第２実施形態について説明する。
【０１１６】
本実施形態のカメラ２の外観は、図３および図４と同じ図になるため図示および説明は省略する。
【０１１７】
また、このカメラ２に備えられているレンズ鏡胴およびレンズ鏡胴駆動機構は、第１鏡胴の内壁に形成されたカム溝の形状およびエンコーダを除き、第１実施形態のカメラ１の、レンズ鏡胴およびレンズ鏡胴駆動機構と同じ種類、同じ動作をするものであるため、図示および重複説明は省略する。
【０１１８】
以下、カメラ２において行なわれる焦点調節について、図１５を用いて説明する。尚、ここでは、便宜上、第１実施形態のカメラ１を構成するものと同じ種類のものには、カメラ１の説明において付されている符号と同じ符号を付して説明する。
【０１１９】
図１５は、ステップ的に定められた複数のズーム段において、無限遠から最至近に至るまでの焦点調節を行なう、本実施形態のカメラの、前群および後群レンズの動きを示す図である。尚、図１５の見方については図９と同じであるので重複説明は省略する。
【０１２０】
図１５には、レンズ鏡胴２０の第１鏡胴２２の回転に伴う、フィルム面に対する、前群レンズ４００の距離の変化を表わす実線Ｋ２、フィルム面に対する、後群レンズ３００の距離の変化を表わす実線Ｌ２が示されている。この実線Ｋ２は図の左中段から図の右上に延びる直線であり、実線Ｌ２は図の左下から図の右上にかけて、カーブ部分と折れ線部分とが交互にくる形状で示されている。尚、第１鏡胴２２の回転に伴い、この実線Ｌ２のうちの折れ線部分を除いた部分であるカーブ部分を移動する後群レンズ３００と、実線Ｋ２上を移動する前群レンズ４００とにより、本実施形態のカメラ２では、ピントが無限遠に合うように設定されている。
【０１２１】
また、図１５には、エンコーダ基板８２０、接片ブラシ７１０、鏡胴待機位置の一部（Ｐ１１からＰ１５）、実線Ｌ２の折れ線部分に描かれた矢印Ｒ２、および、ステップ的に定められた回転角の一部の回転角（Ｚ３１〜Ｚ３５）それぞれにおける、フィルム面に対する、前群レンズ４００の距離を表わす○印、この○印から上方に延びる矢印Ｓ２も示されている。尚、図１５に示す、フィルム面に対する、後群レンズ３００の距離の変化を表わす実線Ｌ２は、図７に示す第１鏡胴２２の内壁に設けられたカム溝２２ｃの形状を示している。このカメラ２のキープレート２５に付設されている接片ブラシ７１０とエンコード基板８２０の動作説明については、第１実施形態のカメラ１で行なった説明と同じであるので省略する。
【０１２２】
以下、本実施形態のカメラ２における焦点調節について説明する。
【０１２３】
ズーム操作スイッチの操作の結果、鏡胴待機位置がエンコーダ基板８２０のパターンの中心（図１５ではＰ１１からＰ１５）のいずれにある場合でも、シャッタボタン１６の半押による測距動作によって得られた被写体までの測距値が所定の値と比較され、その被写体の位置が、その所定の値が表わす位置よりも遠方にいると判定された場合は、距離値を基に割り出された繰り出し量だけ、前群レンズ４００のみを前方（図１５では上方）に繰り出す（矢印Ｓ２）ことにより焦点調節が行なわれる。また、その被写体の位置が、その所定の値が表わす位置よりも至近にいると判定された場合は、測距値とズーム倍率を基に割り出された繰り出し量だけ、レンズ鏡胴２０を前方（図１５では上方）に繰り出す（矢印Ｒ２）ことにより焦点調節が行なわれる。この後、計測した被写体光量情報に基づいて適正な露光量になるようにシャッタが作動して撮影が行われる。撮影が終了すると、前群レンズ４００が前群レンズ待機位置に戻されるか、レンズ鏡胴２０が焦点調節前のレンズ待機位置に戻され、次の撮影に備える。
【０１２４】
つまり、本実施形態のカメラ２で行なわれている焦点調節は、被写体が所定の距離より遠方にある場合は、前群レンズ４００のみを繰り出して焦点調節（本発明にいう第１の焦点調節機構による焦点調節）を行い、被写体が所定の距離より至近にある場合は、レンズ鏡胴２０を繰り出すことで焦点調節（本発明にいう第２の焦点調節機構による焦点調節）を行っている。このため、所定の距離より至近側では、安定した光学性能の確保に重点を置き、所定の距離より無限遠側では、素早い合焦動作の実現に重点が置かれている。したがって、以上のような焦点調節が行なわれる、ズームレンズを備えたカメラ２においても、安定した光学性能の確保および素早い合焦動作の実現とがトータル的に両立することが可能である。
【０１２５】
本実施形態のカメラ２の回路ブロック図は、図１０に示す第１実施形態のカメラ１の回路ブロック図と同じになるため、図示および説明は省略する。
【０１２６】
このカメラ２の、電源がオンされると起動される‘電源オン’プログラム、および、電源がオフされると起動される‘電源オフ’プログラムのフローチャートは、第１実施形態のカメラ１において起動されるものと同じ動作をするものであるので、図示および説明は省略する。尚、このカメラ２では、カメラ１において、ズーム操作スイッチの操作により起動されるプログラムは省かれている。以下、シャッタボタンが押されると起動される‘シャッタボタンオン’プログラムについて図１６を用いて説明する。
【０１２７】
図１６は、カメラのシャッタボタンが押されると起動される‘シャッタボタンオ’ンプログラムのフローチャートである。
【０１２８】
カメラ２のシャッタボタン１６が押されると、先ず半押状態において、撮影しようとする被写体の明るさを測定する測光動作がステップＳ１３１で行なわれ、絞りとシャッタスピードが決定される。その後、ステップＳ１３２に進む。
【０１２９】
ステップＳ１３２では、被写体までの測距が行なわれる。その後、ステップＳ１３３に進む。
【０１３０】
ステップＳ１３３では、ステップＳ１３２において行なわれた測距動作により得られた測距値が、被写界に置ける所定の位置よりも至近であることを表わす値であるか否かが判定される。
【０１３１】
ステップＳ１３３において、測距値が至近であることを表わしていると判定されたときは、ステップＳ１３４に進む。
【０１３２】
ステップＳ１３４では、被写体が所定の位置よりも至近な位置にあることから、焦点調節がレンズ鏡胴２０の繰り出しで行われるため、既に得られている測距値とズーム倍率とを基に、レンズ鏡胴２０の繰り出し量が決定される。その後、ステップＳ１３６に進む。
【０１３３】
ステップＳ３３において、測距値が至近であることを表わしていないと判定されたときは、ステップＳ１３５に進む。
【０１３４】
ステップＳ１３５では、被写体が所定の位置よりも遠方な位置にあることから、焦点調節が前群レンズ４００のみの繰り出しで行われるため、既に得られている測距値から前群レンズ４００の繰り出し量が決定される。その後、ステップＳ１３６に進む。
【０１３５】
ステップＳ１３６以降についての説明は、図１３における説明と重複するため省略する。
【０１３６】
さらに、本発明のカメラの第３実施形態について説明する。
【０１３７】
本実施形態のカメラ３の外観は、図３および図４と同じ図になるため図示および説明は省略する。
【０１３８】
また、このカメラ３に備えられているレンズ鏡胴およびレンズ鏡胴駆動機構は、第１鏡胴の内壁に形成されたカム溝の形状およびエンコーダを除き、第１実施形態のカメラ１がもつレンズ鏡胴およびレンズ鏡胴駆動機構と同じ種類、同じ動作をするものであるので、図示および重複説明は省略する。
【０１３９】
以下、カメラ３において行なわれる焦点調節について、図１７を用いて説明する。尚、ここでは、便宜上、第１実施形態のカメラ１を構成するものと同じ種類のものには、カメラ１の説明において付した符号と同じ符号を付して説明する。
【０１４０】
図１７は、ステップ的に定められた複数のズーム段において、無限遠から最至近に至るまでの焦点調節を行なっている、本実施形態のカメラの、前群および後群レンズの動きを示す図である。尚、図１７の見方については図９と同じであるので重複説明は省略する
図１７には、レンズ鏡胴２０の第１鏡胴２２の回転に伴う、フィルム面に対する、前群レンズ４００の距離の変化を表わす実線Ｋ３、フィルム面に対する、後群レンズ３００の距離の変化を表わす実線Ｌ３、および不連続な点線Ｍ３が示されている。この実線Ｋ３は図の左中段から図の右上に延びる直線であり、実線Ｌ３は図の左下から図の右上にかけて、カーブ部分と折れ線部分とが交互にくる形状で示されている。尚、第１鏡胴２２の回転に伴い、この実線Ｌ３のうちの折れ線部分を除いた部分であるカーブ部分、および点線Ｍ３上を移動する後群レンズ３００と、実線Ｋ３上を移動する前群レンズ４００とにより、本実施形態のカメラ３では、ピントが無限遠に合う設定になっている。
【０１４１】
また、図１７には、エンコーダ基板８３０、接片ブラシ７２０、鏡胴待機位置の一部（Ｐ２１からＰ２５）、実線Ｌ３の折れ線部分に描かれた矢印Ｒ３、および、ステップ的に定められた回転角の一部の回転角（Ｚ４１〜Ｚ４５）それぞれにおける、フィルム面に対する、前群レンズ４００の距離を表わす○印、この○印から上方に延びる矢印Ｓ３も示されている。尚、図１７に示す、フィルム面に対する、後群レンズ３００の距離の変化を表わす実線Ｌ３は、図７に示す第１鏡胴２２の内壁に設けられたカム溝２２ｃの形状を示している。このカメラ３のキープレート２５に付設されている接片ブラシ７２０とエンコード基板８３０の動作説明については、第１実施形態のカメラ１で行なった説明と同じでありので省略する。
【０１４２】
以下、本実施形態のカメラ３における焦点調節について説明する。
【０１４３】
ズーム操作スイッチの操作の結果、鏡胴待機位置がエンコーダ基板８３０の広角側のパターンの中心（Ｐ２１）であった場合、シャッタボタン１６の半押による測距によって得られた距離値を基に、レンズ鏡胴２０を繰り出すことにより焦点調節が行なわれる。このカメラ３では、測距値に応じて割り出された、レンズ鏡胴２０の繰り出し量に応じた回転角になるまで第１鏡胴２２の回転が行なわれる。尚、鏡胴待機位置Ｐ２１に対応する回転角Ｚ４０からステップ的に定められた最寄の回転角である回転角Ｚ４１まで第１鏡胴２２の回転が行なわれた時点では、回転角Ｚ４１に対応して設定されているズーム倍率で、無限遠に被写体にピントが合った状態となっている。
【０１４４】
この後、計測した被写体光量情報に基づいて適正な露光量になるようにシャッタが作動して撮影が行われ、撮影が終了すると、レンズ鏡胴２０は鏡胴待機位置Ｐ２１に戻され、次の撮影に備える。
【０１４５】
次に、ズーム操作スイッチの操作の結果、鏡胴待機位置がエンコーダ基板の広角側のパターンの中心（Ｐ２２）に位置している場合、シャッタボタン１６の半押による測距によって得られた距離値を基に、前群レンズ４００の繰り出しと、レンズ鏡胴２０の繰り出しとの双方による焦点調節が行なわれる。まず回転角Ｚ４２に対応して設定されている所定の値ａが表わす所定の位置と、今回の測距値が表わす被写体の位置とが比較され、被写体が、所定の位置よりも遠方にあるか否かが判定される。被写体が、所定の位置よりも遠方にある場合は、図１７に示す矢印Ｓ３で表わされているように、前群レンズ４００の繰り出しによって焦点調節が行なわれる。また、被写体が設定されている距離よりも至近にある場合は、図１７に示す矢印Ｒ３で表わされているように、レンズ鏡胴２０の繰り出しによって焦点調節が行なわれる。
【０１４６】
以下、ズーム操作スイッチの操作の結果、鏡胴待機位置がエンコーダ基板の広角側のパターンの中心（Ｐ２２）からさらに望遠側にあるパターンの中心に位置している場合、シャッタボタンの半押による測距によって得られた距離値と、それぞれの回転角に対応して設定されている所定の値とが比較されるが、望遠側に行くほど、この所定の値によって表わされる所定の位置は至近側に移る。これにより、望遠側に行くほど、矢印Ｓ３は長くなり、矢印Ｒ３は短くなっている。
【０１４７】
この後、計測した被写体光量情報に基づいて適正な露光量になるようにシャッタが作動して撮影が行われる。撮影が終了すると、前群レンズ４００が前群レンズ待機位置に戻されるか、レンズ鏡胴２０が焦点調節前のレンズ待機位置に戻され、次の撮影に備える。
【０１４８】
つまり、本実施形態のカメラ３では、被写体の位置が、ズーム倍率ごとに設定されている所定の値ａによって表わされる所定の位置に比べ、遠方であれば、本発明にいう第１の焦点調節機構による焦点調節が行なわれ、至近であれば、本発明にいう第２の焦点調節機構による焦点調節が行なわれる。このため、所定の距離より至近側では、安定した光学性能の確保に重点が置かれ、所定の位置より無限遠側では、素早い合焦動作の実現に重点が置かれている。したがって、以上のような焦点調節が行なわれる、ズームレンズを備えたカメラ３でも、安定した光学性能の確保と、素早い合焦動作の実現とが、トータル的に両立することが可能である。
【０１４９】
本実施形態のカメラ３の回路ブロック図は、図１０に示す第１実施形態のカメラ１の回路ブロック図と同じになるため、図示および説明は省略する。
【０１５０】
このカメラ３の、電源がオンされると起動される‘電源オン’プログラム、および、電源がオフされると起動される‘電源オフ’プログラムのフローチャートは、第１実施形態のカメラ１に起動されるものと同じ動作をするものであるので、図示および説明は省略する。尚、このカメラ３でも、ズーム操作スイッチの操作により起動されるプログラムは省かれている。シャッタボタンが押されると起動される‘シャッタボタンオン’プログラムについては第２実施形態のカメラ２と同じ説明となるため、図示および説明は省略する。
【０１５１】
加えて、本発明のカメラの第４実施形態について説明する。
【０１５２】
本実施形態のカメラ４の外観は、図３および図４と同じ図になるため図示および説明は省略する。
【０１５３】
また、このカメラ４に備えられているレンズ鏡胴およびレンズ鏡胴駆動機構は、第１鏡胴の内壁に形成されたカム溝の形状およびエンコーダを除き、第１実施形態のカメラ１がもつレンズ鏡胴およびレンズ鏡胴駆動機構と同じ種類、同じ動作をするものであるので、図示および重複説明は省略する。
【０１５４】
以下、カメラ４において行なわれる焦点調節について、図１８を用いて説明する。尚、ここでは、便宜上、第１実施形態のカメラ１を構成するものと同じ種類のものには、カメラ１の説明において付した符号と同じ符号を付して説明する。
【０１５５】
図１８は、ステップ的に定められた複数のズーム段において、無限遠から最至近に至るまでの焦点調節を行なっている、本実施形態のカメラの、前群および後群レンズの動きを示す図である。尚、図１８の見方については図９と同じであるので重複説明は省略する
図１８には、レンズ鏡胴２０の第１鏡胴２２の回転に伴う、フィルム面に対する、前群レンズ４００の距離の変化を表わす実線Ｋ４、フィルム面に対する、後群レンズ３００の距離の変化を表わす実線Ｌ４、および不連続な点線Ｍ４が示されている。この実線Ｋ４は図の左中段から図の右上に延びる直線であり、実線Ｌ４は図の左下から図の右上にかけて、カーブ部分と折れ線部分とが交互にくる形状で示されている。尚、第１鏡胴２２の回転に伴い、この実線Ｌ４のうちの折れ線部分を除いた部分であるカーブ部分、および点線Ｍ４上を移動する後群レンズ３００と、実線Ｋ４上を移動する前群レンズ４００とにより、本実施形態のカメラ４では、ピントが無限遠に合う設定になっている。
【０１５６】
また、図１８には、エンコーダ基板８４０、接片ブラシ７３０、鏡胴待機位置の一部（Ｐ３１からＰ３５）、実線Ｌ４の折れ線部分に描かれた矢印Ｒ４、および、ステップ的に定められた回転角の一部の回転角（Ｚ５１〜Ｚ５５）それぞれにおける、フィルム面に対する前群レンズ４００の距離を表わす○印、この○印から上方に延びる矢印Ｓ４も示されている。尚、図１８に示す、フィルム面に対する、後群レンズ３００の距離の変化を表わす実線Ｌ４は、図７に示す第１鏡胴２２の内壁に設けられたカム溝２２ｃの形状を示している。このカメラ４のキープレート２５に付設されている接片ブラシ７３０とエンコード基板８４０の動作説明については、第１実施形態のカメラ１で行なった説明と同じになるため省略する。
【０１５７】
以下、本実施形態のカメラ４における焦点調節について説明する。
【０１５８】
ズーム操作スイッチの操作の結果、鏡胴待機位置がエンコーダ基板のパターンの中心（図１８ではＰ３１からＰ３５）のいずれかに位置している場合、シャッタボタン１６の半押による測距によって得られた距離値と、ズーム倍率とを基に、前群レンズ４００の繰り出しと、レンズ鏡胴２０の繰り出しとの双方による焦点調節が、広角側、あるいは望遠側に係わりなく同じように分担して行なわれる。設定されている所定の２つの値（ｂ、ｃ）と、それぞれの回転角において得られた測距値とが比較される。設定されている所定の２つの値（ｂ、ｃ）を基に最至近から無限遠までが３つの範囲に分けられる。３つの範囲とは、無限遠を含む無限遠側である範囲Ｘ、中距離付近である範囲Ｙ、最至近を含む至近側である範囲Ｚで構成されており、被写体が範囲Ｘにある場合、すなわち無限遠付近にある場合、図１８に示すＳ４で表わされるように、前群レンズ４００のみの繰り出しによって焦点調節が行なわれる。被写体が範囲Ｙにある場合、すなわち中距離付近にある場合、図１８に示す、Ｓ４およびＲ４で表わされるように、前群レンズ４００の繰り出しおよびレンズ鏡胴２０の繰り出しの双方によって焦点調節が行なわれる。被写体が範囲Ｚにある場合、すなわち至近付近にある場合、図１８に示すＲ４で表わされるように、レンズ鏡胴２０の繰り出しのみによって焦点調節が行なわれる。
【０１５９】
この後、計測した被写体光量情報に基づいて適正な露光量になるようにシャッタが作動して撮影が行われる。撮影が終了すると、前群レンズ４００が前群レンズ待機位置に戻されるか、レンズ鏡胴２０が焦点調節前のレンズ待機位置に戻され、次の撮影に備える。
【０１６０】
つまり、本実施形態のカメラ４では、被写体が無限遠から最至近までの３つのの範囲のいずれに属するかが判定され、属する範囲ごとに設定されている割合に応じた、第１の焦点調節機構による焦点調節と、第２の焦点調節機構による焦点調節とによる焦点調節が行なわれる。このため、至近側では、安定した光学性能の確保に重点を置き、無限遠側では、素早い合焦動作の実現に重点を置き、中距離付近では、半々の割合で焦点調節が行なわれる。したがって、以上のような焦点調節が行なわれる、ズームレンズを備えたカメラ４においても、安定した光学性能の確保および素早い合焦動作の実現が図られている。
【０１６１】
本実施形態のカメラ４の回路ブロック図は、図１０に示す第１実施形態のカメラ１の回路ブロック図と同じになるため、図示および説明は省略する。
【０１６２】
このカメラ４の、電源がオンされると起動される‘電源オン’プログラム、および、電源がオフされると起動される‘電源オフ’プログラムのフローチャートは、第１実施形態のカメラ１に起動されるものと同じ動作をするものであるので、図示および説明は省略する。尚、このカメラ４でも、ズーム操作スイッチの操作により起動されるプログラムは省かれている。以下、シャッタボタン１６が押されると起動される‘シャッタボタンオン’プログラムについて説明する。
【０１６３】
図１９は、カメラのシャッタボタンが押されると起動される‘シャッタボタンオン’プログラムのフローチャートである。
【０１６４】
カメラ４のシャッタボタン１６が押されると、先ず半押状態において、撮影しようとする被写体の明るさを測定する測光動作がステップＳ２３１で行なわれ、絞りとシャッタスピードが決定される。その後、ステップＳ２３２に進む。
【０１６５】
ステップＳ２３２では、被写体までの測距が行なわれる。その後、ステップＳ２３３に進む。
【０１６６】
ステップＳ２３３では、ステップＳ２３２において行なわれた、被写体に対する測距動作により得られた測距値を、このカメラ４において設定されている２つの値（ｂ、ｃ）と比較するサブプログラムである‘比較ルーチン’を実行する。
【０１６７】
ここで、図２０は、サブプログラム‘比較ルーチン’のフローチャートを示す図である。
【０１６８】
まずステップＳ６１では、ステップＳ２３２で得られた測距値がこのカメラ４に設定されている２つの値のうちの１つである値ｂと比較される。
【０１６９】
ステップＳ６１において、測距値が値ｂよりも大きいと判定されたときは、ステップＳ６３に進む。
【０１７０】
ステップＳ６１において、測距値が値ｂよりも大きくないと判定されたときは、ステップＳ６２に進み、被写体が至近側であることを表わす‘至近フラグ’をセットする。その後、このサブプログラムを抜けて‘シャッタボタンオン’プログラムに戻る。
【０１７１】
ステップＳ６３では、測距値がこのカメラ４に設定されているもう１つの値である値ｃと比較される。
【０１７２】
ステップＳ６３において、測距値が値ｃよりも大きいと判定されたときは、ステップＳ６５に進む。
【０１７３】
ステップＳ６３において、測距値が値ｃよりも大きくないと判定されたときは、ステップＳ６４に進み、ステップＳ６４において、被写体が中距離付近であることを表わす‘中距離フラグ’をセットする。その後、このサブプログラムを抜けて‘シャッタボタンオン’プログラムに戻る。
【０１７４】
ステップＳ６５では、被写体が無限遠付近であることを表わす‘無限遠フラグ’をセットする。その後、このサブプログラムを抜けて‘シャッタボタンオン’プログラムに戻る。
【０１７５】
再び、‘シャッタボタンオン’プログラムに戻り、ステップＳ２３４に進んだ所から説明を続ける。
【０１７６】
ステップＳ２３４では、焦点調節のための、前群レンズ４００およびレンズ鏡胴２０の繰り出し量を決定するサブプログラム‘繰り出し量決定ルーチン’を実行する。
【０１７７】
ここで、図２１は、サブプログラム‘繰り出し量決定ルーチン’のフローチャートを示す図である。
【０１７８】
まず、ステップＳ７１およびステップＳ７２では、‘至近’、‘中距離’、‘無限遠’のうち、いずれのフラグがセットされているが検出される。
【０１７９】
ステップＳ７３からステップＳ７５では、測距値とズーム倍率とを基に、セットされているフラグに対応するテーブルから、前群レンズ４００およびレンズ鏡胴２０の繰り出し量を表わすデータを抽出する。これにより、焦点調節のための、前群レンズ４００およびレンズ鏡胴２０の繰り出し量が決定される。その後、このサブプログラムを抜け、‘シャッタボタンオン’プログラムに戻る。
【０１８０】
再び、シャッタボタンオンプログラムのステップＳ２３５に進んだところから説明を続ける。
【０１８１】
ステップＳ２３５では、その決定に応じた繰り出しにより、焦点調節が行なわれる。その後、ステップＳ２３６に進む。
【０１８２】
尚、ステップＳ２３６以降の説明については、図１３におけるステップＳ３７以降の説明と重複するので省略する。
【０１８３】
また、本発明のカメラの第５実施形態について説明する。
【０１８４】
本実施形態のカメラ５の外観も、図３および図４と同じ図になるため図示および説明は省略する。
【０１８５】
また、このカメラ５に備えられているレンズ鏡胴およびレンズ鏡胴駆動機構も、第１鏡胴の内壁に形成されたカム溝の形状およびエンコーダを除き、第１実施形態のカメラ１がもつレンズ鏡胴およびレンズ鏡胴駆動機構と同じ種類、同じ動作をするものであるので、図示および重複説明は省略する。
【０１８６】
以下、カメラ５において行なわれる焦点調節について、図２２を用いて説明する。尚、ここでは、便宜上、第１実施形態のカメラ１を構成するものと同じ種類のものには、カメラ１の説明において付した符号と同じ符号を付して説明する。
【０１８７】
図２２は、ステップ的に定められた複数のズーム段において、無限遠から最至近に至るまでの焦点調節を行なっている、本実施形態のカメラの、前群および後群レンズの動きを示す図である。尚、図２２の見方については図９と同じであるので重複説明は省略する
図２２には、レンズ鏡胴２０の第１鏡胴２２の回転に伴う、フィルム面に対する、前群レンズ４００の距離の変化を表わす実線Ｋ５、第１鏡胴２２の回転に伴う、フィルム面に対する後群レンズ３００の距離の変化を表わす実線Ｌ５、および不連続な点線Ｍ５が示されている。この実線Ｋ５は図の左中段から図の右上に延びる直線であり、実線Ｌ５は図の左下から図の右上にかけて、カーブ部分と折れ線部分とが交互にくる形状で示されている。尚、第１鏡胴２２の回転に伴い、この実線Ｌ５のうちの折れ線部分を除いた部分であるカーブ部分、および点線Ｍ５上を移動する後群レンズ３００と、実線Ｋ５上を移動する前群レンズ４００とにより、本実施形態のカメラ５では、ピントが無限遠に合う設定になっている。
【０１８８】
さらに、図２２には、エンコーダ基板８５０上のパターンのうち、広角側のパターンの中心（Ｐ４１）を通り上方に延びる１点鎖線Ｑ５、エンコーダ基板８５０、接片ブラシ７４０、鏡胴待機位置の一部（Ｐ６１からＰ６５）、実線Ｌ５の折れ線部分に描かれた矢印Ｒ５、および、ステップ的に定められた回転角の一部の回転角（Ｚ６１〜Ｚ６５）それぞれにおける、フィルム面に対する、前群レンズ４００の距離を表わす○印、この○印から上方に延びる矢印Ｓ５も示されている。尚、図２２に示す、フィルム面に対する、後群レンズ３００の距離の変化を表わす実線Ｌ５は、図７に示す第１鏡胴２２の内壁に設けられたカム溝２２ｃの形状を示している。このカメラ５のキープレート２５に付設されている接片ブラシ７４０とエンコード基板８５０の動作説明については、第１実施形態のカメラ１で行なった説明と同じであるため省略する。
【０１８９】
以下、本実施形態のカメラ５における焦点調節について説明する。
【０１９０】
ズーム操作スイッチの操作の結果、鏡胴待機位置がエンコーダ基板８５０の広角側のパターンの中心（Ｐ４１）であった場合、シャッタボタン１６の半押による測距によって得られた距離値を基に、レンズ鏡胴２０の繰り出しにより焦点調節が行なわれる。このカメラ５では、測距値に応じて割り出された、レンズ鏡胴２０の繰り出し量に応じた回転角になるまで第１鏡胴２２の回転が行なわれる。
尚、鏡胴待機位置Ｐ４１に対応する回転角Ｚ６０からステップ的に定められた最寄の回転角である回転角Ｚ６１まで第１鏡胴２２の回転が行なわれた時点では、回転角Ｚ６１に対応して設定されているズーム倍率で、無限遠に被写体にピントが合った状態となっている。
【０１９１】
この後、計測した被写体光量情報に基づいて適正な露光量になるようにシャッタが作動して撮影が行われ、撮影が終了すると、レンズ鏡胴２０は鏡胴待機位置Ｐ４１に戻され、次の撮影に備える。
【０１９２】
次に、ズーム操作スイッチの操作の結果、鏡胴待機位置がエンコーダ基板のパターンの中心（Ｐ４２）に位置している場合、シャッタボタン１６の半押による測距によって得られた距離値を基に、前群レンズ４００の繰り出しと、レンズ鏡胴２０の繰り出しとの双方による焦点調節が行なわれる。まず回転角Ｚ６２に対応して設定されている所定の値ｄと測距値とが比較され、被写体が、所定の値ｄが表わす所定の位置よりも遠方にあるか否かが判定される。被写体が、所定の位置よりも遠方にある場合は、図２２に示す矢印Ｓ５で表わされているように、前群レンズ４００の繰り出しによって焦点調節が行なわれる。また、被写体が所定の距離よりも至近にある場合は、図２２に示す矢印Ｒ５で表わされているように、レンズ鏡胴２０の繰り出しによって焦点調節が行なわれる。
【０１９３】
次に、ズーム操作スイッチの操作の結果、鏡胴待機位置がエンコーダ基板のパターンの中心（Ｐ４３）に位置している場合、シャッタボタン１６の半押による測距によって得られた距離値を基に、前群レンズ４００の繰り出しと、レンズ鏡胴２０の繰り出しとの分担による焦点調節が行なわれる。まず回転角Ｚ６３に対応して設定されている２つの値ｅ、ｆと測距値とが比較され、被写体が、設定されている２つの値それぞれによって表わされる２つの位置を境として設定される３つの範囲のいずれに属するかが判定される。この３つの範囲は、無限遠を含む無限遠側である範囲Ｘ、中距離付近である範囲Ｙ、最至近を含む至近側である範囲Ｚからなる。また、この範囲Ｘ、Ｙ、Ｚには、それぞれ、前群レンズ４００の繰り出しによる焦点調節と、レンズ鏡胴２０の繰り出しによる焦点調節との、焦点調節における割合が設定されている。被写体が範囲Ｘに属すると判定されると、図２２に示す矢印Ｓ５で表わされているように、回転角Ｚ６２において行なわれているよりも広い範囲で前群レンズ４００の繰り出しのみにより焦点調節が行なわれる。被写体が範囲Ｙに属すると判定されると、この範囲Ｙに設定されている割合で、例えば、レンズ鏡胴２０の繰り出しによる焦点調節を主に行ない、前群レンズ４００の繰り出しによる焦点調節を僅かに行なうことで、図２２に示す、矢印Ｓ５および矢印Ｒ５で表わされているように焦点調節が行なわれる。被写体が範囲Ｚに属すると判定されると、レンズ鏡胴２０の繰り出しのみにより、図２２に示す矢印Ｒ５で表わされているように焦点調節が行なわれる。
【０１９４】
次に、ズーム操作スイッチの操作の結果、鏡胴待機位置がエンコーダ基板の広角側のパターンの中心（Ｐ４４）に位置している場合も、シャッタボタン１６の半押による測距によって得られた距離値を基に、前群レンズ４００の繰り出しと、レンズ鏡胴２０の繰り出しとの分担による焦点調節が行なわれる。まず回転角Ｚ６４に対応して設定されている３つの値ｇ、ｈ、ｉと測距値とが比較され、被写体が、設定されている３つの値それぞれによって表わされる位置を境として設定される４つの範囲のいずれに属するかが判定される。また、この４つの範囲は、無限遠を含む無限遠付近である範囲Ｗ１、無限遠付近から中距離付近までである範囲Ｘ１、中距離から至近付近までである範囲Ｙ１、最至近を含む至近付近である範囲Ｚ１からなる。また、この範囲Ｗ１、Ｘ１、Ｙ１、Ｚ１には、それぞれ、前群レンズ４００の繰り出しによる焦点調節と、レンズ鏡胴２０の繰り出しによる焦点調節との、焦点調節における割合が設定されている。被写体が範囲Ｗ１に属すると判定されると、図２２に示す矢印Ｓ５で表わされているように、回転角Ｚ６３において行なわれているよりも広い範囲で前群レンズ４００の繰り出しのみによる焦点調節が行なわれる。被写体が範囲Ｘ１に属すると判定されると、この範囲Ｘ１に設定されている割合で、例えば、レンズ鏡胴２０の繰り出しによる焦点調節を僅かに行ない、前群レンズ４００の繰り出しによる焦点調節を主に行なうことで、図２２に示す、矢印Ｓ５および矢印Ｒ５で表わされているように焦点調節が行なわれる。被写体が範囲Ｙ１に属すると判定されると、被写体が範囲Ｘ１に属すると判定された場合に比べ、レンズ鏡胴２０の繰り出しによる焦点調節の割合が増加し、代わりに前群レンズ４００の繰り出しによる焦点調節の割合が低下した焦点調節が行なわれる。被写体が範囲Ｚ１に属すると判定されると、レンズ鏡胴２０の繰り出しのみにより、図２２に示す矢印Ｒ５で表わされているように焦点調節が行なわれる。
【０１９５】
この後、計測した被写体光量情報に基づいて適正な露光量になるようにシャッタが作動して撮影が行われる。撮影が終了すると、前群レンズ４００が前群レンズ待機位置に戻されるか、レンズ鏡胴２０が焦点調節前のレンズ待機位置に戻され、次の撮影に備える。
【０１９６】
つまり、本実施形態のカメラ５では、被写体が、ズーム倍率ごとに設定されている所定の値の数に応じた数の範囲のいずれに属するかが判定され、属した範囲それぞれに設定されている焦点調節における割合に応じて、本発明にいう第１の焦点調節機構による焦点調節と、本発明にいう第２の焦点調節機構とによる焦点調節が行なわれる。したがって、木目細かく、第１の焦点調節機構による焦点調節と、第２の焦点調節機構とによる焦点調節を行なうことができるため、安定した光学性能の確保と素早い合焦動作の実現とをバランス良く両立させることが可能である。
【０１９７】
本実施形態のカメラ５の回路ブロック図は、図１０に示す第１実施形態のカメラ１の回路ブロック図と同じになるため、図示および説明は省略する。
【０１９８】
このカメラ５の、電源がオンされると起動される‘電源オン’プログラム、および、電源がオフされると起動される‘電源オフ’プログラムのフローチャートは、第１実施形態のカメラ１に起動されるものと同じ動作をするものであるので、図示および説明は省略する。尚、このカメラ５でも、ズーム操作スイッチの操作により起動されるプログラムは省かれている。尚、本実施形態のカメラ５では、シャッタボタン１６が押されると、‘シャッタボタンオン’プログラムが起動されるが、この‘シャッタボタンオン’プログラムのフローチャートは、第４実施形態のカメラ４の‘シャッタボタンオン’プログラムのフローチャートを示す図１９と同じ図になるため、図１９を参照しながら説明する。
【０１９９】
カメラ５のシャッタボタン１６が押されると、先ず半押状態において、撮影しようとする被写体の明るさを測定する測光動作がステップＳ２３１で行なわれ、絞りとシャッタスピードが決定される。その後、ステップＳ２３２に進む。
【０２００】
ステップＳ２３２では、被写体までの測距が行なわれる。その後、ステップＳ２３３に進む。
【０２０１】
ステップＳ２３３では、ステップＳ２３２において行なわれた、被写体に対する測距動作により得られた測距値を、このカメラ５において設定されている複数の値と比較するサブプログラムである‘比較ルーチン’を実行する。
【０２０２】
ここで、図２３は、サブプログラム‘比較ルーチン’のフローチャートを示す図である。尚、ここでは、図２２に示す、ステップ的に設定されているズーム段（回転角）のうちのＺ６１からＺ６４について代表的に説明する。
【０２０３】
まずステップＳ８１では、今回選択されている、ステップ的に設定されているズーム段を表わす第１鏡胴２２の回転角度の検出が行なわれる。その後、ステップＳ８２に進む。
【０２０４】
ステップＳ８２では、ステップＳ８１で検出された回転角がＺ６１であるか否かが判定される。
【０２０５】
ステップＳ８２おいて、検出された回転角がＺ６１と同じであると判定されるとステップＳ８３に進み、‘Ｚ６１フラグ’がセットされる。その後、このサブプログラムを抜け、‘シャッタボタンオン’プログラムに戻る。
【０２０６】
ステップＳ８２おいて、検出された回転角がＺ６１と同じでないと判定されるとステップＳ８４に進む。
【０２０７】
ステップＳ８４では、検出された回転角がＺ６２と同じであるか否かが判定される。
【０２０８】
ステップＳ８４において、検出された回転角がＺ６２と同じであると判定されると、ステップＳ８５において ‘Ｚ６２フラグ’がセットされる。その後、ステップＳ８６に進み、測距値が値ｄより大きいか否かが判定される。
【０２０９】
ステップＳ８６において、測距値が値ｄより大きいと判定されると、このサブプログラムを抜け、‘シャッタボタンオン’プログラムに戻る。
【０２１０】
ステップＳ８６において、測距値が値ｄより小さいと判定されると、ステップＳ８７に進み、‘至近フラグ’がセットされる。その後、このサブプログラムを抜け、‘シャッタボタンオン’プログラムに戻る。
【０２１１】
ステップＳ８４において、検出された回転角がＺ６２と同じでないと判定されると、ステップＳ８９に進み、検出された回転角がＺ６３と同じであるか否かが判定される。
【０２１２】
ステップＳ８９において、検出された回転角がＺ６３と同じであると判定されると、ステップＳ９０において、‘Ｚ６３フラグ’がセットされる。その後、ステップＳ９１に進み、測距値が値ｅより大きいか否かが判定される。
【０２１３】
ステップＳ９１において、測距値が値ｅより小さいと判定されると、ステップＳ９２に進み、‘Ｚフラグ’がセットされる。その後、このサブプログラムを抜け、‘シャッタボタンオン’プログラムに戻る。
【０２１４】
ステップＳ９１において、測距値が値ｅより大きいと判定されると、ステップＳ９３に進み、測距値が値ｆより大きいか否かが判定される。
【０２１５】
ステップＳ９３において、測距値が値ｆより小さいと判定されると、ステップＳ９４に進み、‘Ｙフラグ’がセットされる。その後、このサブプログラムを抜け、‘シャッタボタンオン’プログラムに戻る。
【０２１６】
ステップＳ９３において、測距値が値ｆより大きいと判定されると、このサブプログラムを抜け、‘シャッタボタンオン’プログラムに戻る。
【０２１７】
ステップＳ８９において、検出された回転角がＺ６３と同じでないと判定されると、ステップＳ９６に進み、検出された回転角がＺ６４と同じであるか否かが判定される。
【０２１８】
ステップＳ９６において、検出された回転角がＺ６４と同じであると判定されると、ステップＳ９７において、‘Ｚ６４フラグ’がセットされる。その後、ステップＳ９８に進み、測距値が値ｇより大きいか否かが判定される。
【０２１９】
ステップＳ９８において、測距値が値ｇより小さいと判定されると、ステップＳ９９に進み、‘Ｚ１フラグ’がセットされる。その後、このサブプログラムを抜け、‘シャッタボタンオン’プログラムに戻る。
【０２２０】
ステップＳ９８において、測距値が値ｇより大きいと判定されると、ステップＳ１００に進み、測距値が値ｈより大きいか否かが判定される。
【０２２１】
ステップＳ１００において、測距値が値ｈより小さいと判定されると、ステップＳ１０１に進み、‘Ｙ１フラグ’がセットされる。その後、このサブプログラムを抜け、‘シャッタボタンオン’プログラムに戻る。
【０２２２】
ステップＳ１００において、測距値が値ｈより大きいと判定されると、ステップＳ１０２に進み、測距値が値ｉより大きいか否かが判定される。
【０２２３】
ステップＳ１０２において、測距値が値ｉより小さいと判定されると、ステップＳ１０３に進み、‘Ｘ１フラグ’がセットされる。その後、このサブプログラムを抜け、‘シャッタボタンオン’プログラムに戻る。
【０２２４】
ステップＳ１０２において、測距値が値ｉより大きいと判定されると、このサブプログラムを抜け、‘シャッタボタンオン’プログラムに戻る。
【０２２５】
再び、図１９に示す‘シャッタボタンオン’プログラムのステップＳ２３４に進んだところから、説明を続ける。
【０２２６】
ステップＳ２３４では、焦点調節のための、前群レンズ４００およびレンズ鏡胴２０の繰り出し量を決定するサブプログラム‘繰り出し量決定ルーチン’を実行する。
【０２２７】
ここで、図２４は、サブプログラム‘繰り出し量決定ルーチン’のフローチャートを示す図である。尚、ここでも、ステップ的に設定されているズーム段（回転角）のうちのＺ６１からＺ６４について代表的に説明する。
【０２２８】
まず、ステップＳ１１０では、現在の回転角がＺ６１であることを表わすＺ６１フラッグがセットされているか否かが判定される。
【０２２９】
ステップＳ１１０において、Ｚ６１フラッグがセットされていると判定されると、ステップＳ１１１に進み、回転角がＺ６１である場合に参照されるデータテーブルである‘Ｚ６１データテーブル’から、測距値と、回転角Ｚ６１に対応したズーム倍率を基に、繰り出し量を表わすデータが抽出される。その後、このサブプログラムを抜け、‘シャッタボタンオン’プログラムに戻る。
【０２３０】
ステップＳ１１０において、Ｚ６１フラッグがセットされていないと判定されると、ステップＳ１１２に進み、現在の回転角がＺ６２であることを表わすＺ６２フラッグがセットされているか否かが判定される。
【０２３１】
ステップＳ１１２において、Ｚ６２フラッグがセットされていると判定されると、ステップＳ１１３に進み、被写体が、この回転角Ｚ６２に対応したズーム倍率において設定されている所定の位置よりも至近側であることを表わす‘至近フラグ’がセットされているか否かが判定される。
【０２３２】
ステップＳ１１３において、‘至近フラグ’がセットされていると判定されると、この回転角Ｚ６２に対応したズーム倍率において設定されている所定の位置よりも至近側用の‘Ｚ６２至近データテーブル’から、測距値と、回転角Ｚ６２に対応したズーム倍率を基に、繰り出し量を表わすデータが抽出される。その後、このサブプログラムを抜け、‘シャッタボタンオン’プログラムに戻る。
【０２３３】
ステップＳ１１３において、‘至近フラグ’がセットされていないと判定されると、この回転角Ｚ６２に対応したズーム倍率において設定されている所定の位置よりも遠方側用の‘Ｚ６２遠方データテーブル’から、測距値と、回転角Ｚ６２に対応したズーム倍率を基に、繰り出し量を表わすデータを抽出する。その後、このサブプログラムを抜け、‘シャッタボタンオン’プログラムに戻る。
【０２３４】
ステップＳ１１２において、Ｚ６２フラグもセットされていないと判定されると、ステップＳ１１６に進み、現在の回転角がＺ６３であることを表わすＺ６３フラグがセットされているか否かが判定される。
【０２３５】
ステップＳ１１６において、Ｚ６３フラグがセットされていると判定されると、ステップＳ１１７に進み、被写体が、この回転角Ｚ６３に対応したズーム倍率において設定されている所定の３つの範囲のうち、至近側に属していることを表わす‘Ｚフラグ’がセットされているか否かが判定される。
【０２３６】
ステップＳ１１７において、‘Ｚフラグ’がセットされていると判定されると、ステップＳ１１８に進み、この回転角Ｚ６３に対応したズーム倍率において設定されている至近側用の‘Ｚ６３Ｚデータテーブル’から、測距値と、回転角Ｚ６３に対応したズーム倍率を基に、繰り出し量を表わすデータが抽出される。その後、このサブプログラムを抜け、‘シャッタボタンオン’プログラムに戻る。
【０２３７】
ステップＳ１１７において、‘Ｚフラグ’がセットされていないと判定されると、ステップＳ１１９に進み、被写体が、この回転角Ｚ６３に対応したズーム倍率において設定されている所定の３つの範囲のうち、中距離付近に属していることを表わす‘Ｙフラグ’がセットされているか否かが判定される。
【０２３８】
ステップＳ１１９において、‘Ｙフラグ’がセットされていると判定されると、ステップＳ１２０に進み、この回転角Ｚ６３に対応したズーム倍率において設定されている中距離付近用の‘Ｚ６３Ｙデータテーブル’から、測距値と、回転角Ｚ６３に対応したズーム倍率を基に、繰り出し量を表わすデータが抽出される。その後、このサブプログラムを抜け、‘シャッタボタンオン’プログラムに戻る。
【０２３９】
ステップＳ１１９において、‘Ｙフラグ’がセットされていないと判定されると、ステップＳ１２１に進み、被写体が、この回転角Ｚ６３に対応したズーム倍率において設定されている所定の３つの範囲のうち、無限遠側に属しているとして、この回転角Ｚ６３に対応したズーム倍率において設定されている無限遠側用の‘Ｚ６３Ｘデータテーブル’から、測距値と、回転角Ｚ６３に対応したズーム倍率を基に、繰り出し量を表わすデータが抽出される。その後、このサブプログラムを抜け、‘シャッタボタンオン’プログラムに戻る。
【０２４０】
ステップＳ１１６において、Ｚ６３フラグもセットされていないと判定されると、ステップＳ１２２に進み、現在の回転角がＺ６４であることを表わすＺ６４フラッグがセットされているか否かが判定される。
【０２４１】
ステップＳ１２２において、Ｚ６４フラッグがセットされていると判定されると、ステップＳ１２３に進み、被写体が、この回転角Ｚ６４に対応したズーム倍率において設定されている所定の４つの範囲のうち、最至近側に属していることを表わす‘Ｚ１フラグ’がセットされているか否かが判定される。
【０２４２】
ステップＳ１２３において、‘Ｚ１フラグ’がセットされていると判定されると、ステップＳ１２４に進み、この回転角Ｚ６４に対応したズーム倍率において設定されている最至近側用の‘Ｚ６４Ｚ１データテーブル’から、測距値と、回転角Ｚ６４に対応したズーム倍率を基に、繰り出し量を表わすデータが抽出される。その後、このサブプログラムを抜け、‘シャッタボタンオン’プログラムに戻る。
【０２４３】
ステップＳ１２３において、‘Ｚ１フラグ’がセットされていないと判定されると、ステップＳ１２５に進み、被写体が、この回転角Ｚ６４に対応したズーム倍率において設定されている所定の４つの範囲のうち、やや至近側に属していることを表わす‘Ｙ１フラグ’がセットされているか否かが判定される。
【０２４４】
ステップＳ１２５において、‘Ｙ１フラグ’がセットされていると判定されると、ステップＳ１２６に進み、この回転角Ｚ６４に対応したズーム倍率において設定されているやや至近側用の‘Ｚ６４Ｙ１データテーブル’から、測距値と、回転角Ｚ６４に対応したズーム倍率を基に、繰り出し量を表わすデータが抽出される。その後、このサブプログラムを抜け、‘シャッタボタンオン’プログラムに戻る。
【０２４５】
ステップＳ１２５において、‘Ｙ１フラグ’がセットされていないと判定されると、ステップＳ１２７に進み、被写体が、この回転角Ｚ６４に対応したズーム倍率において設定されている所定の４つの範囲のうち、やや至近側に属していることを表わす‘Ｘ１フラグ’がセットされているか否かが判定される。
【０２４６】
ステップＳ１２７において、‘Ｘ１フラグ’がセットされていると判定されると、ステップＳ１２８に進み、この回転角Ｚ６４に対応したズーム倍率において設定されているやや至近側用の‘Ｚ６４Ｘ１データテーブル’から、測距値と、回転角Ｚ６４に対応したズーム倍率を基に、繰り出し量を表わすデータが抽出される。その後、このサブプログラムを抜け、‘シャッタボタンオン’プログラムに戻る。
【０２４７】
ステップＳ１２７において、‘Ｘ１フラグ’がセットされていないと判定されると、ステップＳ１２９に進み、被写体が、この回転角Ｚ６４に対応したズーム倍率において設定されている所定の４つの範囲のうち、無限遠側に属しているとして、この回転角Ｚ６４に対応したズーム倍率において設定されている無限遠側用の‘Ｚ６４Ｗ１データテーブル’から、測距値と、回転角Ｚ６４に対応したズーム倍率を基に、繰り出し量を表わすデータが抽出される。その後、このサブプログラムを抜け、‘シャッタボタンオン’プログラムに戻る。
【０２４８】
尚、以上の実施形態のカメラでは、レンズ鏡胴２０を、鏡胴待機位置まで高精度に繰り出すために、以下のような方式が採用されている。レンズ鏡胴がズームスイッチの操作により任意位置まで繰り出されると、接片ブラシと、カメラ本体側に設けられているエンコード基板上のパターンの端部との接触による導通が検出されるまで、第１鏡胴の回転が行なわれる。カメラでは、この接片ブラシを、エンコード基板上のパターンの端部から中心部まで移動させるために必要な、鏡胴駆動モータの回転量は把握されており、接片ブラシとパターンの端との接触後、すなわち、導通のタイミングが検出されると同時に、鏡胴駆動モータ１０の回転量のカウントが開始され、決められた回転量に達したところで鏡胴駆動モータの停止の指示が出される。こうすることにより、レンズ鏡胴２０を、常に安定して、所定の鏡胴待機位置（パターンの中心）に繰り出させることができる。
また、以上の実施形態では、ロール状フィルムを採用するカメラを用いて説明しているが、本発明のカメラは、電子カメラ、インスタントカメラ等であってもよい。さらに、以上の実施形態では、２群レンズで構成されるズームレンズを備えたカメラを用いて説明しているが、本発明のカメラは、３群以上で構成されるズームレンズを備えたカメラであってもよい。加えて、以上の実施形態ではオートフォーカス機能を備えたカメラを用いて説明しているが、本発明のカメラは、マニュアルフォーカス機能のみ、あるいはオートフォーカス機能とマニュアルフォーカス機能の双方を備えたカメラであってもよい。
【０２４９】
【発明の効果】
以上説明したように、本発明のカメラによれば、安定した光学性能の確保と素早い合焦動作の実現とを両立した焦点調節を行なうことができる。
【図面の簡単な説明】
【図１】ステップ的に定められた複数のズーム段において、前群レンズのみを光軸方向の前方に繰り出すことで焦点調節を行なっているカメラの前群および後群レンズの動きを示す図である。
【図２】ステップ的に定められた複数のズーム段において、レンズ鏡胴を光軸方向の前方に繰り出すと共に、レンズ鏡胴に内蔵する、前群レンズと後群レンズとの相対的間隔を変化させることで、焦点調節が行なわれているカメラの前群および後群レンズの動きを示す図である。
【図３】本発明のカメラの第１実施形態の外観斜視図である。
【図４】本発明のカメラの第１実施形態の外観斜視図である。
【図５】広角端状態のカメラの、レンズ鏡胴およびレンズ鏡胴駆動機構の断面図である。
【図６】望遠端状態のカメラの、レンズ鏡胴およびレンズ鏡胴駆動機構の断面図である。
【図７】レンズ鏡胴の分解斜視図である。
【図８】前群レンズの案内機構の外観斜視図である。
【図９】ステップ的に定められた複数のズーム段において、無限遠から最至近に至るまでの焦点調節を行なう、本実施形態のカメラの前群および後群レンズの動きを示す図である。
【図１０】本実施形態のカメラの回路ブロック図である。
【図１１】本実施形態のカメラの電源がオンされると起動される電源オンプログラムのフローチャートである。
【図１２】ズーム操作スイッチに対する操作が行なわれると起動されるズーム操作プログラムのフローチャートである。
【図１３】カメラのシャッタボタンが押されると起動されるシャッタボタンオンプログラムのフローチャートである。
【図１４】カメラの電源をオフする操作が行なわれた場合に起動される電源オフプログラムのフローチャートである。
【図１５】ステップ的に定められた複数のズーム段において、無限遠から最至近に至るまでの焦点調節を行なう、本実施形態のカメラの、前群および後群レンズの動きを示す図である。
【図１６】カメラのシャッタボタンが押されると起動されるシャッタボタンオンプログラムのフローチャートである。
【図１７】ステップ的に定められた複数のズーム段において、無限遠から最至近に至るまでの焦点調節を行なっている、本実施形態のカメラの、前群および後群レンズの動きを示す図である。
【図１８】ステップ的に定められた複数のズーム段において、無限遠から最至近に至るまでの焦点調節を行なっている、本実施形態のカメラの、前群および後群レンズの動きを示す図である。
【図１９】カメラのシャッタボタンが押されると起動されるシャッタボタンオンプログラムのフローチャートである。
【図２０】サブプログラム‘比較ルーチン’のフローチャートを示す図である。
【図２１】サブプログラム‘繰り出し量決定ルーチン’のフローチャートを示す図である。
【図２２】ステップ的に定められた複数のズーム段において、無限遠から最至近に至るまでの焦点調節を行なっている、本実施形態のカメラの、前群および後群レンズの動きを示す図である。
【図２３】サブプログラム‘比較ルーチン’のフローチャートを示す図である。
【図２４】サブプログラム‘繰り出し量決定ルーチン’のフローチャートを示す図である。
【符号の説明】
１、２、３、４、５  カメラ
１０  鏡胴駆動モータ
１００  ピ二オン
１１０  減速ギア系
１２  フラッシュ発光窓
１２０  平ギア
１３  ファインダ対物窓
１４ａ  ＡＦ投光窓
１４ｂ  ＡＦ受光窓
１５  ＡＥ受光窓
１６  シャッタボタン
２０  レンズ鏡胴
２１  固定筒
２１ａ  ヘリコイドネジ
２１ｂ  縦開口
２１ｃ  キー溝
２１ｄ  軸受
２１ｅ  袋部
２１ｆ  軸
２２  第１鏡胴
２２ａ  ヘリコイドネジ
２２ｂ  被駆動ギア
２２ｃ  カム溝
２２ｄ  ヘリコイドネジ
２２ｅ  フランジ
２３  直進ガイド筒
２３ａ  第２フランジ
２３ｂ  第１フランジ
２３ｃ  直線溝
２３ｄ  突条部
２４  第２鏡胴
２４ａ  ヘリコイドネジ
２４ｂ  直線溝
２４ｃ  溝
２５  キープレート
２５ｂ  軸受
２５ｃ  突起
２５１  駆動ギア
３０  後群レンズユニット
３００  後群レンズ
３１０  後群レンズ保持枠
３１０ａ  カムピン
４０  前群レンズユニット
４００  前群レンズ
４１０  前群レンズ保持筒
４１０ａ  突起
４１０ｂ  ヘリコイドネジ
４２０  前群レンズ駆動モータ
４３０  駆動ギア
４４０  回転筒
４４０ａ  ギア溝
４４０ｂ  ヘリコイドネジ
４５０  固定筒
４５０ａ  キー溝
５０  シャッタユニット
５１  制御回路
５２  フラッシュ制御
５３  ＡＥセンサ
５４  エンコーダ
５５  ＡＦセンサ
５６  ズーム操作スイッチ
５７  前群レンズ駆動モータ
５８  シャッタ制御
５９  鏡胴駆動モータ制御
５００  フォトセンサ
６００  セクタアクチュエータ
７００、７１０、７２０、７３０、７４０  接片ブラシ
８１０、８２０、８３０、８４０，８５０  エンコーダ基板
９０  保持部材
【図１】
0004629275.tif 000002
【図２】
0004629275.tif 000003
【図３】
0004629275.tif 000004
【図４】
0004629275.tif 000005
【図５】
0004629275.tif 000006
【図６】
0004629275.tif 000007
【図７】
0004629275.tif 000008
【図８】
0004629275.tif 000009
【図９】
0004629275.tif 000010
【図１０】
0004629275.tif 000011
【図１１】
0004629275.tif 000012
【図１２】
0004629275.tif 000013
【図１３】
0004629275.tif 000014
【図１４】
0004629275.tif 000015
【図１５】
0004629275.tif 000016
【図１６】
0004629275.tif 000017
【図１７】
0004629275.tif 000018
【図１８】
0004629275.tif 000019
【図１９】
0004629275.tif 000020
【図２０】
0004629275.tif 000021
【図２１】
0004629275.tif 000022
【図２２】
0004629275.tif 000023
【図２３】
0004629275.tif 000024
【図２４】
0004629275.tif 000025